(57)【要約】      （修正有）【課題】基板収容ケースに対する不正行為を低減できる遊技機を提供する。【解決手段】基板収容ケース７４はケース上７１を前側、ケース下を後側にして取り付けられており、第１封止手段７５は、第１被封止部７５ａがケース下に設けられ且つ第２被封止部７５ｂがケース上７１に設けられており、第２封止手段７６は、第１被封止部７６ａがケース上７１に設けられ且つ第２被封止部７６ｂがケース下７２に設けられており、第１被封止部７５ａ，７６ａと第２被封止部７５ｂ，７６ｂに封止用ピンが挿入されることによって、第１封止手段７５と第２封止手段７６は、制御基板が内部に収容された状態でケース上７１とケース下とを開放し難い状態となる。ケース上７１とケース下とを開放し難い状態は、被破壊部７８Ａ，７８Ｂを破壊することで解除される。第１封止手段７５での被破壊部７８Ａと第２封止手段７６での被破壊部７８Ｂとは、同じ方向に面する。【選択図】図５
2020121176.tif 000002
【特許請求の範囲】
【請求項１】
遊技に関する制御を行う電子部品が搭載された部品搭載面を有する制御基板を内部に収容する基板収容ケースを備えた遊技機において、
前記基板収容ケースは、
前記制御基板を内部に収容する第１ケース体及び第２ケース体からなるケース本体と、
前記制御基板が内部に収容された状態で前記第１ケース体と前記第２ケース体とを開放し難い状態とする封止手段と、を備え、
前記封止手段は、
前記制御基板が内部に収容された状態での前記第１ケース体と前記第２ケース体との所定箇所に形成される複数対の被封止部と、
前記複数対の被封止部に挿入されることによって前記第１ケース体と前記第２ケース体とを開放し難い状態とする封止部材と、を備え、
前記複数対の被封止部はそれぞれ、第１被封止部と、第２被封止部とで構成されており、
前記第１被封止部は、前記封止部材を挿入可能な前記部品搭載面に沿う所定の面を有する板状の第１部位を備え、
前記第２被封止部は、前記封止部材を挿入可能な前記所定の面に沿う面を有する第２部位と、前記第２部位を支持する部位であって前記第１ケース体と前記第２ケース体とを開放し難い状態を解除するために前記第１被封止部の前記第１部位よりも破壊され易くなるように細長状に延出された被破壊部とを備え、
前記封止手段は、
少なくとも、前記第１被封止部が前記第１ケース体に設けられ且つ前記第２被封止部が前記第２ケース体に設けられる第１封止手段と、前記第１被封止部が前記第２ケース体に設けられ且つ前記第２被封止部が前記第１ケース体に設けられる第２封止手段とを有し、
前記第１被封止部と前記第２被封止部とが前記部品搭載面に沿う特定方向から重ね合わされた状態で、前記部品搭載面が向いている所定の方向から見て前記第１封止手段での前記第１部位と前記第２封止手段での前記第１部位との前面側に前記第１封止手段での前記被破壊部と前記第２封止手段での前記被破壊部とが露出するように前記被破壊部の各々は前記基板収容ケースの同じ側に備えられており、且つ、前記被破壊部の各々が矩形状の前記基板収容ケースの前記特定方向に延びた一辺側に設けられている
ことを特徴とする遊技機。
【発明の詳細な説明】
【技術分野】
【０００１】
この発明は、遊技に関する制御を行う制御基板を内部に収容する基板収容ケースを備えた遊技機に関する。
【背景技術】
【０００２】
従来、遊技機の代表例として例えばパチンコ機やスロットマシンやパチンコ機とスロットマシンとを融合した遊技機などがある。この種の遊技機は、遊技に関する制御を行う制御基板を収容した基板収容ケースを備えている（例えば、特許文献１参照）。
【先行技術文献】
【特許文献】
【０００３】
【特許文献１】特開平１０−３１４４１４号公報（第３−７頁，第１−５図）
【発明の開示】
【発明が解決しようとする課題】
【０００４】
しかしながら、このような構成を有する従来例には、次のような問題がある。
すなわち、基板収容ケースに対する不正行為がある。
【０００５】
本発明は、このような事情に鑑みてなされたものであって、基板収容ケースに対する不正行為を低減できる遊技機を提供することを目的とする。
【課題を解決するための手段】
【０００６】
この発明は、このような目的を達成するために、次のような構成をとる。
すなわち、請求項１に記載の発明は、遊技に関する制御を行う電子部品が搭載された部品搭載面を有する制御基板を内部に収容する基板収容ケースを備えた遊技機において、
前記基板収容ケースは、
前記制御基板を内部に収容する第１ケース体及び第２ケース体からなるケース本体と、
前記制御基板が内部に収容された状態で前記第１ケース体と前記第２ケース体とを開放し難い状態とする封止手段と、を備え、
前記封止手段は、
前記制御基板が内部に収容された状態での前記第１ケース体と前記第２ケース体との所定箇所に形成される複数対の被封止部と、
前記複数対の被封止部に挿入されることによって前記第１ケース体と前記第２ケース体とを開放し難い状態とする封止部材と、を備え、
前記複数対の被封止部はそれぞれ、第１被封止部と、第２被封止部とで構成されており、
前記第１被封止部は、前記封止部材を挿入可能な前記部品搭載面に沿う所定の面を有する板状の第１部位を備え、
前記第２被封止部は、前記封止部材を挿入可能な前記所定の面に沿う面を有する第２部位と、前記第２部位を支持する部位であって前記第１ケース体と前記第２ケース体とを開放し難い状態を解除するために前記第１被封止部の前記第１部位よりも破壊され易くなるように細長状に延出された被破壊部とを備え、
前記封止手段は、
少なくとも、前記第１被封止部が前記第１ケース体に設けられ且つ前記第２被封止部が前記第２ケース体に設けられる第１封止手段と、前記第１被封止部が前記第２ケース体に設けられ且つ前記第２被封止部が前記第１ケース体に設けられる第２封止手段とを有し、
前記第１被封止部と前記第２被封止部とが前記部品搭載面に沿う特定方向から重ね合わされた状態で、前記部品搭載面が向いている所定の方向から見て前記第１封止手段での前記第１部位と前記第２封止手段での前記第１部位との前面側に前記第１封止手段での前記被破壊部と前記第２封止手段での前記被破壊部とが露出するように前記被破壊部の各々は前記基板収容ケースの同じ側に備えられており、且つ、前記被破壊部の各々が矩形状の前記基板収容ケースの前記特定方向に延びた一辺側に設けられている
ことを特徴とする。
【発明の効果】
【０００７】
この発明に係る遊技機によれば、基板収容ケースに対する不正行為を低減できる遊技機を提供することができる。
【図面の簡単な説明】
【０００８】
【図１】実施例１のスロットマシンの前面扉を閉じた状態の斜視図である。
【図２】実施例１のスロットマシンの正面図である。
【図３】前面扉を取り外した状態でのスロットマシンの内部を示す図である。
【図４】前面扉の裏面図である。
【図５】回動ベースに支持された状態の主制御装置の斜視図である。
【図６】回動ベースから取り外された主制御装置の分解斜視図である。
【図７】図６に示すケース上の斜視図である。
【図８】図６に示すケース下の斜視図である。
【図９】回動ベースに支持された状態の主制御装置の正面図である。
【図１０】（ａ）は、重ね合わせた状態の主基板ケースの斜視図であり、（ｂ）は、（ａ）の後に閉じ合わされた主基板ケースの斜視図である。
【図１１】（ａ）は、封止手段を説明するための図９の主基板ケースのＦＦ断面であり、（ｂ）は、封止手段を説明するための図９の主基板ケースのＧＧ断面である。
【図１２】（ａ）は、主制御装置の平面図であり、（ｂ）は、（ａ）に示す封止手段のＨＨ断面であり、（ｃ）は、（ａ）に示す封止手段のＩＩ断面である。
【図１３】基板ケースとコネクタかしめカバーとの取付状態を説明するための図９の主制御装置のＡＡ断面の一部拡大図である。
【図１４】図１３で示した取付状態を別の方向から説明するための図９の主制御装置のＢＢ断面の一部拡大図である。
【図１５】基板ケースとコネクタかしめカバーとの係止状態を説明するための図９の主制御装置のＣＣ断面図である。
【図１６】図１３に示す係止状態のコネクタかしめカバーを説明するための主制御装置の平面図と、その一部拡大図である。
【図１７】図１３に示す係止状態のコネクタかしめカバーを図１６とは異なる方向から説明するための図９の主制御装置のＤＤ断面図と、その一部拡大図である。
【図１８】図１３に示す係止状態のコネクタかしめカバーを図１６，１１とは異なる方向から説明するための図９の主制御装置のＥＥ断面図と、その一部拡大図である。
【図１９】係止状態を形成する主制御装置の構成を説明するための主制御装置の分解斜視図である。
【図２０】図１９の分解斜視図を異なる方向から説明する分解斜視図である。
【図２１】（ａ）〜（ｆ）はコネクタかしめカバーの六面図であり、（ａ）は正面図、（ｂ）は平面図、（Ｃ）は背面図、（ｄ）は右側面図、（ｅ）は左側面図、（ｆ）は底面図である。
【図２２】（ａ）〜（ｆ）はコネクタかしめプレートの六面図であり、（ａ）は正面図、（ｂ）は平面図、（Ｃ）は背面図、（ｄ）は右側面図、（ｅ）は左側面図、（ｆ）は底面図である。
【図２３】実施例２に係る主基板ケースに備えられる遮蔽部を説明する図である。
【図２４】実施例３の機種Ａに係る主基板ケースを説明する図である。
【図２５】実施例３の機種Ｂに係る主基板ケースを説明する図である。
【図２６】（ａ）〜（ｃ）は実施例３の機種Ｃに係る３通りの主基板ケースを説明する図である。
【図２７】実施例４に係る回動ベースに支持された状態の主制御装置の正面図である。
【図２８】（ａ）が実施例４に係る第１封止手段を説明する図であり、（ｂ）が実施例４に係る第２封止手段を説明する図である。
【図２９】図１８の一部拡大図をさらに拡大した図であって、変形例１に係る基板ケースのケース突出部を説明する。
【図３０】図１８の一部拡大図をさらに拡大した図であって、変形例２に係るコネクタかしめカバーの第１膨出部を説明する。
【発明を実施するための形態】
【０００９】
なお、本明細書は、次のような遊技機に係る発明も開示している。
【００１０】
従来、遊技機の代表例として例えばパチンコ機やスロットマシンやパチンコ機とスロットマシンとを融合した遊技機などがある。この種の遊技機は、遊技に関する制御を行う制御基板を収容した基板収容ケースを備えている。この基板収容ケースは、ベース部材とカバー部材などの少なくとも２つの部材を閉じ合わせることによって、制御基板を内部に収容する。また、この基板収容ケースには、このベース部材とカバー部材との所定箇所にそれぞれ形成される一対の被封止部材が複数設けられ、この被封止部材に挿入されることによってベース部材とカバー部材とを開放し難い状態とする封止用ピンを有する封止機構を備えているものがある。このような封止機構には、各被封止部材の所定箇所を破壊しない限り封止機構が解除されず、ベース部材とカバー部材とが開放し難いものがある（例えば、特開平１０−３１４４１４号公報（第３−７頁，第１−５図）参照）。
【００１１】
しかしながら、このような構成を有する従来例には、次のような問題がある。
すなわち、２個の基板収容ケースを用意して、一方の基板収容ケースから無傷のベース部材を取り出し且つ他方の基板収容ケースから無傷のカバー部材を取り出せば、２個の基板収容ケースから１個の新品同様の基板収容ケースを作り出すことが可能となる。このように作り出された新品同様の基板収容ケースに不正改造を施された制御基板が収容されて、その基板収容ケースがホールに設置されている遊技機に取り付けられて、当該遊技機にて遊技を行って遊技価値を不正に得る、という不正行為がある。このような基板収容ケースは、一見すると新品同様であるために、正規の基板収容ケースと見分けがつきにくく、発見することが容易でないという問題がある。
【００１２】
下記（１）に係る発明は、このような事情に鑑みてなされたものであって、基板収容ケースに対する不正行為を低減できる遊技機を提供することを目的とする。
【００１３】
（１）  遊技に関する制御を行う電子部品が搭載された制御基板を内部に収容する基板収容ケースを備えた遊技機において、
前記基板収容ケースは、
前記制御基板を内部に収容する第１ケース部品及び第２ケース部品と、
前記制御基板が内部に収容された状態で前記第１ケース部品と前記第２ケース部品とを開放し難い状態とする封止手段と、を備え、
前記封止手段は、
前記制御基板が内部に収容された状態での前記第１ケース部品と前記第２ケース部品との所定箇所に形成される複数対の被封止部と、
前記複数対の被封止部に挿入されることによって前記第１ケース部品と前記第２ケース部品とを開放し難い状態とする封止部材と、を備え、
前記複数対の被封止部はそれぞれ、第１被封止部と、前記第１ケース部品と前記第２ケース部品とを開放し難い状態を解除するために前記第１被封止部よりも破壊され易いように形成される被破壊部を有する第２被封止部とで構成されており、
前記封止手段は、
少なくとも、前記第１被封止部が前記第１ケース部品に設けられ且つ前記第２被封止部が前記第２ケース部品に設けられる第１封止手段と、前記第１被封止部が前記第２ケース部品に設けられ且つ前記第２被封止部が前記第１ケース部品に設けられる第２封止手段とを有し、
前記第１被封止部と前記第２被封止部とが互いに重ね合わされた状態で、前記第１封止手段での前記被破壊部と前記第２封止手段での前記被破壊部とが同じ方向に面する
ことを特徴とする遊技機。
【００１４】
前記（１）に記載の発明によれば、第１封止手段は、第１被封止部が第１ケース部品に設けられ且つ第２被封止部が第２ケース部品に設けられており、第２封止手段は、第１被封止部が第２ケース部品に設けられ且つ第２被封止部が第１ケース部品に設けられており、第１被封止部と第２被封止部に封止部材が挿入されることによって、第１封止手段と第２封止手段は、制御基板が内部に収容された状態で第１ケース部品と第２ケース部品とを開放し難い状態となる。第１ケース部品と第２ケース部品とを開放し難い状態は、第２被封止部が有する被破壊部を破壊することによって解除される。被破壊部は、第２被封止部に設けられているが、第２被封止部は、第１封止手段では第２ケース部品に設けられており、第２封止手段では、第１ケース部品に設けられている。そのため、封止手段によって作られた第１ケース部品と第２ケース部品とを開放し難い状態を解除しようとして被破壊部が破壊されると、第１ケース部品にも第２ケース部品にも破壊痕跡が残る。第１封止手段での被破壊部と第２封止手段での被破壊部とが同じ方向に面しているので、被破壊部が第１ケース部品と第２ケース部品とに分けて設けられていることが目立ちにくくなっている。
【００１５】
これにより、基板収容ケースから第１ケース部品と第２ケース部品とを無傷の状態で得ることが困難になる。よって、２個の基板収容ケースを用意して、一方の基板収容ケースから無傷の第１ケース部品を取り出し且つ他方の基板収容ケースから無傷の第２ケース部品を取りだそうとしても、それぞれの基板収容ケースから第１ケース部品と第２ケース部品とを無傷の状態で得ることが困難なので、２個の基板収容ケースから１個の新品同様の基板収容ケースが作り出されることに起因する不正行為も困難になる。その結果、基板収容ケースに対する不正行為を低減できる遊技機を提供することができる。
【００１６】
なお、上述の封止手段は、第１被封止部が第２ケース部品に設けられ且つ第２被封止部が第１ケース部品に設けられる第１封止手段と、第１被封止部が第１ケース部品に設けられ且つ第２被封止部が第２ケース部品に設けられる第２封止手段とであっても構わない。
【００１７】
（２）  前記（１）に記載の遊技機において、
前記第１被封止部と前記第２被封止部とが重ね合わされた状態で、前記被破壊部が面する方向と同じ方向から見ると、前記第１封止手段での前記第２被封止部と前記第２封止手段での前記第２被封止部とが同一または類似する形状である
ことを特徴とする遊技機。
【００１８】
前記（２）に記載の発明によれば、被破壊部が面する方向と同じ方向から見ると、第１封止手段での第２被封止部と第２封止手段での第２被封止部との形状に違いが無いかまたは形状に違いがあっても僅かなので、第１封止手段での被破壊部と第２封止手段での被破壊部とが遊技機正面視で同じ方向に面することと相まって、被破壊部が第１ケース部品と第２ケース部品とに分けて設けられていることに気付かせにくくすることができる。
【００１９】
本明細書において「同一または類似する形状」とは、一方を拡大または縮小すれば他方と概ね似た形状となる場合や、一方が他方を模したと認められる程度に共通した形状となる場合を意味する。「形状」は、ある方向から見たときの外観だけでなく、外形，輪郭，シルエット）も含む意味である。
【００２０】
本明細書における「前記被破壊部が面する方向と同じ方向」は、基板収容ケースが遊技機に取り付けられた状態では、遊技機の種類に応じて異なる。パチンコ機の場合について説明する。パチンコ機は、当該パチンコ機の外殻を形成する外枠と、この外枠の一側部に開閉可能に支持された内枠とを備えている。内枠は、その背面側から遊技盤が取り付けられており、さらにその背面側から主制御基板が収容される基板収容ケースや、他の制御基板が収容される基板収容ケースなどが取り付けられる。パチンコ機における「前記被破壊部が面する方向と同じ方向」は、作業者が内枠を開放した状態で当該内枠の背面に正対するときに、その正対する作業者がいる方向である。つまり、「前記被破壊部が面する方向と同じ方向」は、基板収容ケースを内枠に取り付けた状態での被破壊部が面する方向と同じ方向を意味する。
【００２１】
次に、スロットマシンの場合について説明する。スロットマシンは、前面側に開口部を有する本体と、この本体の前面側で開閉可能であって閉状態で開口部を閉塞する前面扉とを備えている。上述した基板収容ケースは、本体内部に取り付けられる場合や前面扉の裏面に取り付けられる場合がある。基板収容ケースが本体内部に取り付けられる場合、「前記被破壊部が面する方向と同じ方向」は、作業者が前面扉を開放した状態で本体の開口部に正対するときに、開口部に正対する作業者がいる方向である。また、基板収容ケースが前面扉に取り付けられる場合、「前記被破壊部が面する方向と同じ方向」は、作業者が前面扉を開放した状態で当該前面扉の背面に正対するときに、前面扉の背面に正対する作業者がいる方向である。つまり、「前記被破壊部が面する方向と同じ方向」は、基板収容ケースを本体内部や前面扉裏面に取り付けた状態での被破壊部が面する方向と同じ方向を意味する。
【００２２】
なお、上述の説明は、パチンコ機やスロットマシンと同様の構成を採用する遊技機であれば、パチンコ機やスロットマシン以外の遊技機にも当てはまる。
【００２３】
（３）  前記（２）に記載の遊技機において、
前記第１被封止部と前記第２被封止部とが重ね合わされた状態で、前記被破壊部が面する方向と同じ方向から見ると、前記第１封止手段での前記被破壊部の背後に位置する前記第１被封止部と前記第２封止手段での前記被破壊部の背後に位置する前記第１被封止部とが同一または類似する形状である
ことを特徴とする遊技機。
【００２４】
前記（３）に記載の発明によれば、被破壊部が面する方向と同じ方向から見ると、第１封止手段での被破壊部の背後に位置する第１被封止部と第２封止手段での被破壊部の背後に位置する第１被封止部とで形状に違いが無いかまたは形状に違いがあっても僅かなので、第１封止手段での被破壊部と第２封止手段での被破壊部とが同一または類似する形状となるように構成されていることと相まって、被破壊部が第１ケース部品と第２ケース部品とに分けて設けられていることに気付かせにくくすることができる。
【００２５】
（４）  前記（１）から（３）のいずれかに記載の遊技機において、
前記第１封止手段での前記第１被封止部及び前記第２被封止部と前記基板収容ケースとの境界と、第２封止手段での前記第１被封止部及び前記第２被封止部と前記基板収容ケースとの境界とを隠す遮蔽部を備えている
ことを特徴とする遊技機。
【００２６】
前記（４）に記載の発明によれば、遮蔽部は、第１封止手段での第１被封止部及び第２被封止部と基板収容ケースとの境界と、第２封止手段での第１被封止部及び第２被封止部と基板収容ケースとの境界とを隠すので、これらの境界に現れる第１封止手段と第２封止手段との違いから、被破壊部が第１ケース部品と第２ケース部品とに分けて設けられていることに気付かれることを低減することができる。
【００２７】
（５）  前記（１）から（４）のいずれかに記載の遊技機において、
前記第１封止手段を構成する前記第１被封止部には視覚によって識別可能な第１の特徴が施されており、前記第１封止手段を構成する前記第２被封止部には視覚によって識別可能な第２の特徴が施されており、
前記第２封止手段を構成する前記第１被封止部には前記第２の特徴が施されており、前記第２封止手段を構成する前記第２被封止部には前記第１の特徴が施されている
ことを特徴とする遊技機。
【００２８】
前記（５）に記載の発明によれば、第１封止手段を構成する第１被封止部には視覚によって識別可能な第１の特徴が施されており、第１封止手段を構成する第２被封止部には視覚によって識別可能な第２の特徴が施されているので、第１被封止部に第１の特徴が施され、第２被封止部に第２の特徴が施されている一対の被封止部を共通の封止手段であると認識させることが可能となる。そのため、第２封止手段を構成する第１被封止部には第２の特徴が施されており、第２封止手段を構成する第２被封止部には第１の特徴が施されているので、これを見る者は、第２封止手段を構成する第２被封止部が第１封止手段７５と同じ構造であり、第２封止手段を構成する第１被封止部が第１封止手段７５と同じ構造であるである、と誤解し易くなる。これにより、基板ケースを不正に開封しようとする者は、第１封止手段と第２封止手段とで第１被封止部を形成する部材と第２被封止部を形成する部材とが入れ替わっていることに気が付きにくくなり、被破壊部が第１ケース部品と第２ケース部品とに分けて設けられていることに気付かせにくくすることができる。
【００２９】
「視覚によって識別可能な第１の特徴」と「視覚によって識別可能な第２の特徴」は、第１被封止部，第２被封止部に付される文字，図形，記号などの識別情報や形状，模様，色彩などの特徴である。このような発明は、第１被封止部と第２被封止部の全体的な構成が似ている場合に効果的である。
【００３０】
（６）  前記（１）から（５）のいずれかに記載の遊技機において、
前記基板収容ケースは、
前記第１封止手段が配される位置と、前記第２封止手段が配される位置とを、機種に応じて変更している
ことを特徴とする遊技機。
【００３１】
前記（６）に記載の発明によれば、基板収容ケースは、第１封止手段が配される位置と、第２封止手段が配される位置とを、機種に応じて変更しているので、基板収容ケースにおいて第１封止手段が配される位置と、第２封止手段が配される位置とを同じ位置としている場合に比べて、被破壊部が第１ケース部品と第２ケース部品とに分けて設けられていることに気付かせにくくすることができる。
【００３２】
（７）  前記（１）から（６）のいずれかに記載の遊技機において、
前記基板収容ケースは、
前記第１封止手段が配される位置と、前記第２封止手段が配される位置とを、同じ機種に備えられる基板収容ケース同士で変更している
ことを特徴とする遊技機。
【００３３】
前記（７）に記載の発明によれば、第１封止手段における前記被破壊部が配される位置と、第２封止手段における前記被破壊部が配される位置とを、同じ機種に備えられる基板収容ケース同士で変更しているので、第１封止手段と第２封止手段との位置が機種に応じてのみ変更されている構成よりもさらに、被破壊部が第１ケース部品と第２ケース部品とに分けて設けられていることに気付かせにくくすることができる。
【００３４】
（８）  遊技に関する制御を行う電子部品が搭載された制御基板を内部に収容する基板収容ケースが取り付けられた被取付体を備え、
前記基板収容ケースは、
前記制御基板を内部に収容する第１ケース部品及び第２ケース部品と、
前記制御基板が内部に収容された状態で前記第１ケース部品と前記第２ケース部品とを開放し難い状態とする封止手段と、を備え、
前記封止手段は、
前記制御基板が内部に収容された状態での前記第１ケース部品と前記第２ケース部品との所定箇所に形成される複数対の被封止部と、
前記複数対の被封止部に挿入されることによって前記第１ケース部品と前記第２ケース部品とを開放し難い状態とする封止部材と、を備え、
前記複数対の被封止部はそれぞれ、第１被封止部と、前記第１ケース部品と前記第２ケース部品とを開放し難い状態を解除するために前記第１被封止部よりも破壊され易いように形成される被破壊部を有する第２被封止部とで構成されており、
前記封止手段は、
少なくとも、前記第１被封止部が前記第１ケース部品に設けられ且つ前記第２被封止部が前記第２ケース体に設けられる第１封止手段と、前記第１被封止部が前記第２ケース部品に設けられ且つ前記第２被封止部が前記第１ケース部品に設けられる第２封止手段とを有し、
前記基板収容ケースが前記被取付体に取り付けられた状態で、前記被取付体を前記基板収容ケースが取り付けられた側から見ると、前記第１封止手段での前記第２被封止部と前記第２封止手段での前記第２被封止部とが同一または類似する形状であることを特徴とする遊技機。
【００３５】
前記（８）に記載の発明によれば、第１封止手段は、第１被封止部が第１ケース部品に設けられ且つ第２被封止部が第２ケース部品に設けられており、第２封止手段は、第１被封止部が第２ケース部品に設けられ且つ第２被封止部が第１ケース部品に設けられており、第１被封止部と第２被封止部に封止部材が挿入されることによって、第１封止手段と第２封止手段は、制御基板が内部に収容された状態で第１ケース部品と第２ケース部品とを開放し難い状態となる。第１ケース部品と第２ケース部品とを開放し難い状態は、第２被封止部が有する被破壊部を破壊することによって解除される。被破壊部は、第２被封止部に設けられているが、第２被封止部は、第１封止手段では第２ケース部品に設けられており、第２封止手段では、第１ケース部品に設けられている。そのため、封止手段によって作られた第１ケース部品と第２ケース部品とを開放し難い状態を解除しようとして被破壊部が破壊されると、第１ケース部品にも第２ケース部品にも破壊痕跡が残る。基板収容ケースが被取付体に取り付けられた状態で、被取付体を基板収容ケースが取り付けられた側から見ると、第１封止手段での第２被封止部と第２封止手段での第２被封止部とが同一または類似する形状であるので、第１封止手段での第２被封止部と第２封止手段での第２被封止部との形状に違いが無いかまたは形状に違いがあっても僅かである。したがって、被破壊部が第１ケース部品と第２ケース部品とに分けて設けられていることに気付かせにくくすることができる。
【００３６】
これにより、第１ケース部品と第２ケース部品との両方に破壊痕跡を残すことへの確実性が向上するので、基板収容ケースから第１ケース部品と第２ケース部品とを無傷の状態で得ることが困難になる。よって、２個の基板収容ケースを用意して、一方の基板収容ケースから無傷の第１ケース部品を取り出し且つ他方の基板収容ケースから無傷の第２ケース部品を取りだそうとしても、それぞれの基板収容ケースから第１ケース部品と第２ケース部品とを無傷の状態で得ることが困難なので、２個の基板収容ケースから１個の新品同様の基板収容ケースが作り出されることに起因する不正行為も困難になる。その結果、基板収容ケースに対する不正行為を低減できる遊技機を提供することができる。
【００３７】
なお、「被取付体」は、例えば、パチンコ機であれば内枠であり、スロットマシンであれば、本体または前面扉である。
【００３８】
（９）  遊技に関する制御を行う電子部品が搭載された制御基板を内部に収容する基板収容ケースを備えた遊技機において、
前記基板収容ケースは、
前記制御基板を内部に収容する第１ケース部品及び第２ケース部品と、
前記制御基板が内部に収容された状態で前記第１ケース部品と前記第２ケース部品とを開放し難い状態とする封止手段と、を備え、
前記封止手段は、
前記制御基板が内部に収容された状態での前記第１ケース部品と前記第２ケース部品との所定箇所に形成される複数対の被封止部と、
前記複数対の被封止部に挿入されることによって前記第１ケース部品と前記第２ケース部品とを開放し難い状態とする封止部材と、を備え、
前記複数対の被封止部はそれぞれ、第１被封止部と、前記第１ケース部品と前記第２ケース部品とを開放し難い状態を解除するために前記第１被封止部よりも破壊され易いように形成される被破壊部を有する第２被封止部とで構成されており、
前記封止手段は、
少なくとも、前記第１被封止部が前記第１ケース部品に設けられ且つ前記第２被封止部が前記第２ケース部品に設けられる第１封止手段と、前記第１被封止部が前記第２ケース部品に設けられ且つ前記第２被封止部が前記第１ケース部品に設けられる第２封止手段とを有する
ことを特徴とする遊技機。
【００３９】
前記（１０）に記載の発明によれば、第１封止手段は、第１被封止部が第１ケース部品に設けられ且つ第２被封止部が第２ケース部品に設けられており、第２封止手段は、第１被封止部が第２ケース部品に設けられ且つ第２被封止部が第１ケース部品に設けられており、第１被封止部と第２被封止部に封止部材が挿入されることによって、第１封止手段と第２封止手段は、制御基板が内部に収容された状態で第１ケース部品と第２ケース部品とを開放し難い状態となる。第１ケース部品と第２ケース部品とを開放し難い状態は、第２被封止部が有する被破壊部を破壊することによって解除される。被破壊部は、第２被封止部に設けられているが、第２被封止部は、第１封止手段では第２ケース部品に設けられており、第２封止手段では、第１ケース部品に設けられている。そのため、封止手段によって作られた第１ケース部品と第２ケース部品とを開放し難い状態を解除しようとして被破壊部が破壊されると、第１ケース部品にも第２ケース部品にも破壊痕跡が残る。
【００４０】
これにより、基板収容ケースから第１ケース部品と第２ケース部品とを無傷の状態で得ることが困難になる。よって、２個の基板収容ケースを用意して、一方の基板収容ケースから無傷の第１ケース部品を取り出し且つ他方の基板収容ケースから無傷の第２ケース部品を取りだそうとしても、それぞれの基板収容ケースから第１ケース部品と第２ケース部品とを無傷の状態で得ることが困難なので、２個の基板収容ケースから１個の新品同様の基板収容ケースが作り出されることに起因する不正行為も困難になる。その結果、基板収容ケースに対する不正行為を低減できる遊技機を提供することができる。
【００４１】
なお、上述の封止手段は、第１被封止部が第２ケース部品に設けられ且つ第２被封止部が第１ケース部品に設けられる第１封止手段と、第１被封止部が第１ケース部品に設けられ且つ第２被封止部が第２ケース部品に設けられる第２封止手段とであっても構わない。また、上述の封止手段は、第１封止手段での被破壊部と第２封止手段での被破壊部とが異なる方向に面するようなものや、第１封止手段での第２被封止部と第２封止手段での第２被封止部とが異なる形状であるものも含んでいる。
【００４２】
また、本明細書は、次のような遊技機に係る発明も開示している。
【００４３】
下記（Ａ１）に記載の発明は、遊技に関する制御を行う制御基板を内部に収容する基板収容ケースを備えた遊技機に関する。
【００４４】
従来、遊技機の代表例として例えばパチンコ機やスロットマシンやパチンコ機とスロットマシンとを融合した遊技機などがある。この種の遊技機は、遊技に関する制御を行う制御基板を収容した基板収容ケースを備えている。この基板収容ケースは、ベース部材とカバー部材などの少なくとも２つの部材を閉じ合わせることによって、制御基板を収容する収容空間を形成する。また、この基板収容ケースには、このケースを封止するための封止機構を備えている。制御基板を収容した基板収容ケースは封止機構で封止された状態で、遊技機の所定位置に取り付けられる。所定位置に取り付けられた基板収容ケースの制御基板は、他の所定位置に取り付けられた他の基板収容ケースの制御基板と接続される。このような各制御基板を電気的に接続する配線作業が行われて、遊技機は出荷される（例えば、特開平１０−３１４４１４号公報（第３−７頁，第１−５図）参照）。
【００４５】
しかしながら、このような構成を有する従来例には、次のような問題がある。
すなわち、制御基板を収容する基板収容ケースには、出荷後に正常な用途以外では触られたくない領域があるが、従来の遊技機ではこのような領域を十分に保護できていないという問題がある。
【００４６】
出荷後に正常な用途以外では触られたくない領域は、例えば、制御基板と他の制御基板とを接続するための制御基板に実装されるコネクタや、基板収容ケースの封止機構などである。
【００４７】
例えば、制御基板は、他の制御基板などと接続するためのコネクタが実装されており、基板収容ケースは、内部に収容された制御基板のコネクタに対応する領域が開口されている。基板収容ケースが封止機構によって開封不能とされた後、ケーブルの一端に設けられるコネクタがこの制御基板側のコネクタに接続され、このケーブルの他端に設けられるコネクタが同様に他の基板収容ケースに収容された他の制御基板側のコネクタに接続される。このようにこの制御基板と他の制御基板とが接続された状態で、この制御基板は他の制御基板に対して、遊技の進行に必要なコマンドなど各種信号を送信する。ところが、このコネクタに不正な信号を送り込む不正基板（ぶら下げ基板）が取り付けられる不正行為が行われる場合がある。この場合、不正基板が他の制御基板に不正な信号を送信し、他の制御基板がこの不正な信号に基づいて所定の遊技に関する制御を行うことによって、不正行為者が不正な利益を得る場合がある。不正な制御基板が発見しづらい状態で接続されている場合、基板収容ケースの封止機構を見ても不正な開封の痕跡が残っていないので、このような不正行為を発見するのは容易でない。そのため、制御基板と他の制御基板とを接続するための制御基板に実装されるコネクタは、出荷後に正常な用途以外では触られたくない。
【００４８】
また、基板収容ケースの封止機構は、基板収容ケースを封止した後、基板収容ケースの表面に露出しているため、不正行為の危険にさらされる。そのため、基板収容ケースの封止機構は、出荷後に正常な用途以外では触られたくない。
【００４９】
下記（Ａ１）に記載の発明は、このような事情に鑑みてなされたものであって、出荷後に正常な用途以外では触られたくない基板収容ケースの所定領域を保護できる基板収容ケースを備えた遊技機を提供することを目的とする。
【００５０】
（Ａ１）  遊技に関する制御を行う制御基板を内部に収容する収容ケースと、
前記収容ケースを所定の部位に取り付けるケース取付部材と、
前記収容ケースが前記ケース取付部材によって前記所定の部位に取り付けられ且つ前記制御基板が遊技に関する制御を行うことが可能になった状態で、前記収容ケースの所定の領域を覆うカバー部材と、
前記カバー部材と前記収容ケースとが互いを着脱可能な状態で、前記カバー部材が前記収容ケースの前記所定の領域を覆うように、前記カバー部材を前記収容ケースに取り付ける第１取付手段と、
前記第１取付手段によって着脱可能な状態で取り付けられた前記収容ケースと前記カバー部材とを着脱不能な状態で取り付ける第２取付手段と、を備える
ことを特徴とする遊技機。
【００５１】
前記（Ａ１）に記載の発明によれば、遊技に関する制御を行う制御基板を内部に収容する収容ケースと、前記収容ケースを所定の部位に取り付けるケース取付部材と、前記収容ケースが前記ケース取付部材によって前記所定の部位に取り付けられ且つ前記制御基板が遊技に関する制御を行うことが可能になった状態で、前記収容ケースの所定の領域を覆うカバー部材と、前記カバー部材と前記収容ケースとが互いを着脱可能な状態で、前記カバー部材が前記収容ケースの前記所定の領域を覆うように、前記カバー部材を前記収容ケースに取り付ける第１取付手段と、前記第１取付手段によって着脱可能な状態で取り付けられた前記収容ケースと前記カバー部材とを着脱不能な状態で取り付ける第２取付手段と、を備える。
【００５２】
このように、収容ケースが所定の部位に取り付けられて、その収容ケースの内部の制御基板が遊技に関する制御を行うことが可能になった状態で、収容ケースの所定の領域を覆うカバー部材が、第１取付手段による着脱可能な状態での取り付けと、第２取付手段による着脱不能な状態での取り付けとを経て、この発明に係る遊技機が出荷される。これにより、第１取付手段による着脱可能な状態では、カバー部材の取り付けの調整作業が可能であるが、第２取付手段による着脱不能な状態では、収容ケースの所定の領域からカバー部材を取り外し難くなる。つまり、出荷後の遊技機は、収容ケースの所定の領域に対する不正なアクセスを行い難い状態となる。したがって、収容ケースが正常に取り付けた状態で所定の領域を介して行われる不正行為を行い難くすることができる遊技機を提供することができる。
【００５３】
ここで、「着脱不能な状態」とは、通常の力では取り外しできない状態であり、無理矢理に取り外そうとすれば、取り付けられている各部材のいずれか一方または両方が破損してしまう状態を意味する。
【００５４】
（Ａ２）  前記（Ａ１）に記載の遊技機において、
前記第２取付手段は、第１取付部と第２取付部とで構成され、
前記第１取付部は、前記収容ケースが前記所定の部位に取り付けられた状態で、当該所定の部位を遊技機正面から見るときに、前記第２取付部よりも遊技機正面から視認し難い状態で配設されており、
前記第２取付部は、前記第１取付部よりも遊技機正面から視認し易い状態で配設される
ことを特徴とする遊技機。
【００５５】
前記（Ａ２）に記載の発明によれば、第２取付手段による着脱不能な状態は、遊技機正面から視認し難い第１取付部と、この第１取付部よりも遊技機正面から視認し易い第２取付部とで形成されている。これにより、収容ケースを不正行為に強くすることができる。すなわち、不正行為者は、第２手段によって着脱不能な状態な状態とされたカバー部材を取り外そうとするとき、遊技機正面から視認し易い位置に配設されている第１取付部での取付状態を解除しようとする。しかし、第１取付部での取付状態を解除できても第２取付部での取付状態を解除しなければ、カバー部材を収容ケースから取り外すことができない。このとき、第２取付部は遊技機正面から視認し難い位置に配設されているので、不正行為者は第２取付部の存在に容易に気付き難い。そのため、不正行為を成し遂げるまでに時間がかかってしまうので、収容ケースを不正行為に強くすることができる。
【００５６】
「前記第２取付部よりも遊技機正面から視認し難い状態」及び「前記第１取付部よりも遊技機正面から視認し易い状態」は、第１取付部及び第２取付部が配設される位置の違いや、第１取付部及び第２取付部の形状の違いや、第１取付部及び第２取付部の大きさの違いなどによって生じる状態である。
【００５７】
（Ａ３）  前記（Ａ２）に記載の遊技機において、
前記第１取付部は、前記所定の平坦面よりも制御基板に近づいた位置に配設されており、
前記第２取付部は、前記収容ケースにおける所定の平坦面よりも前記制御基板から遠ざかった位置に配設されている
ことを特徴とする遊技機。
【００５８】
前記（Ａ３）に記載の発明によれば、第１取付部と第２取付部とは、収容ケースにおける所定の平坦面を基準として、前後に分かれて配設されている。第１取付部は、収容ケースにおける所定の平坦面よりも後側、すなわち、収容ケースにおける所定の平坦面よりも制御基板に近づいた位置に配設されているが、第２取付部は、収容ケースにおける所定の平坦面よりも前側、すなわち、収容ケースにおける所定の平坦面よりも制御基板から遠ざかった位置に配設されるので、遊技機正面から視認され易い。したがって、第２取付部よりも第１取付部を遊技機正面から視認し難くすることができる。
【００５９】
（Ａ４）  前記（Ａ３）に記載の遊技機において、
前記第１取付手段は、前記収容ケース側の部位と前記カバー部材側の部位とで構成され、
前記第２取付部は、前記収容ケースが前記所定の部位に取り付けられた状態で、当該所定の部位を遊技機正面から見るときに、前記第１取付手段を構成する前記収容ケース側の部位の背後に配設されている
ことを特徴とする遊技機。
【００６０】
前記（Ａ４）に記載の発明によれば、第２取付部が第１取付手段を構成する収容ケース側の部位の背後に隠れているため、遊技機正面から見るときに、第２取付部材を発見し辛くすることができる。
【００６１】
（Ａ５）  前記（Ａ１）から（Ａ４）のいずれかに記載の遊技機において、
前記収容ケースと前記第１取付手段と前記第２取付手段は、透過性を有する樹脂で成型されており、
そのうち少なくとも前記収容ケースと前記第２取付手段とは、無色か同色か同系色のいずれかで共通である
ことを特徴とする。
【００６２】
前記（Ａ５）に記載の発明によれば、収容ケースと第１取付手段と第２取付手段のうち少なくとも収容ケースと第２取付手段とは、無色か同色か同系色のいずれかで共通の透過性を有する樹脂であるので、第２取付手段によって形成されている着脱不能な状態をどのように解除すればよいか気付かせ難くすることができる。なお、収容ケースと第１取付手段と第２取付手段の全てを無色か同色か同系色のいずれかの透過性を有する樹脂としても構わない。
【００６３】
（Ａ６）  前記（Ａ１）から（Ａ５）のいずれかに記載の遊技機において、
前記第１取付手段は、前記カバー部材と前記収容ケースとを互いに着脱可能な取付状態で前記所定の領域を覆うように取り付けるカバー取付部であって、
前記第２取付手段は、前記カバー取付部によって取り付けられる前記収容ケースと前記カバー部材とを着脱不能な係止状態で係止する係止部材である
ことを特徴とする遊技機。
【００６４】
前記（Ａ６）に記載の発明によれば、カバー取付部によって着脱可能な状態で取り付けられた収容ケースとカバー部材とを係止部材で係止すれば、収容ケースとカバー部材とが着脱不能な係止状態となるので、係止状態を形成する作業が簡易化する。
【００６５】
（Ａ７）  前記（Ａ６）に記載の遊技機において、
前記収容ケースと前記カバー部材とは、前記係止部材が挿入される挿入空間の一部をそれぞれ有し、
前記挿入空間は、前記収容ケースと前記カバー部材とを前記取付状態とすることによって形成され、
前記係止状態は、前記挿入空間に前記係止部材を挿入することによって形成される
ことを特徴とする遊技機。
【００６６】
前記（Ａ７）に記載の発明によれば、収容ケースとカバー部材とを着脱可能な取付状態とすることによって、収容ケースに設けられる挿入空間の一部とカバー部材に設けられる挿入空間の一部とで、係止部材が挿入される挿入空間が形成される。この挿入空間に係止部材を挿入することによって、収容ケースとカバー部材とを着脱不能とする係止状態が形成される。これにより、挿入空間に係止部材が挿入された係止状態において、この係止状態を不正に解除するために挿入空間を形成する部材が破壊される場合、この挿入空間の一部を有する収容ケースとカバー部材との両方が破壊され易くなる。収容ケースとカバー部材との両方が破壊されると、仮に、係止状態が不正に解除されたとしても、収容ケースとカバー部材の両方に破壊痕跡が残る。したがって、破壊痕跡が多く残る分だけ不正行為を発見し易くなる。また、係止状態が不正に解除された後の収容ケースとカバー部材とを再利用した不正な収容ケースを無傷で作ることを難しくすることができる。
【００６７】
（Ａ８）  前記（Ａ６）または（Ａ７）に記載の遊技機において、
前記係止部材は、前記係止状態を形成するための第１係合部と第２係合部とを有し、
前記収容ケースは、前記第１係合部に係合する第１被係合部を有し、
前記カバー部材は、前記第２係合部に係合する第２被係合部を有し、
前記係止状態は、前記第１係合部が前記第１被係合部に係合し、前記第２係合部が前記第２被係合部に係合することによって形成される
ことを特徴とする遊技機。
【００６８】
前記（Ａ８）に記載の発明によれば、係止状態が形成される際に、係止部材の第１係合部と第２係合部が係合する相手がそれぞれ収容ケースの第１被係合部とカバー部材の第２被係合部とに異なっている。これにより、係止状態において、第１係合部と第１被係合部との係合を不正に解除しようとすると収容ケースに破壊痕跡が残り、第２係合部と第２被係合部との係合を不正に解除しようとするとカバー部材に破壊痕跡が残る。したがって、破壊痕跡が多く残る分だけ不正行為を発見し易くなる。また、係止状態が不正に解除された後の収容ケースとカバー部材とを再利用した不正な収容ケースを無傷で作ることを難しくすることができる。
【００６９】
（Ａ９）  前記（Ａ８）に記載の遊技機において、
前記第１係合部と前記第１被係合部と前記第２係合部と前記第２被係合部とは、それぞれ異なる形に形成されている
ことを特徴とする遊技機。
【００７０】
前記（Ａ９）に記載の発明によれば、第１係合部と第１被係合部との係合の形と、第２係合部と第２被係合部との係合の形とがそれぞれ異なっている。これにより、係止状態において、第１係合部と第１被係合部との係合を不正に解除する際に採った方法と異なる方法を採らなければ、第２係合部と第２被係合部との係合を不正に解除し難くすることができる。したがって、第１係合部と第１被係合部との係合の解除と、第２係合部と第２被係合部との係合の解除とに時間を掛けさせることで、ケース取付部材に取り付けられた収容ケースを不正行為に強くすることができる。
【００７１】
（Ａ１０）  前記（Ａ８）または（Ａ９）に記載の遊技機において、
前記第１係合部と前記第２係合部とは、前記係止部材の挿入方向に沿って中心線を引いた場合に、該中心線に対して左右非対称となる位置に設けられており、
前記第１被係合部と前記第２被係合部とは、前記係止部材の挿入方向に沿って中心線を引いた場合に、該中心線に対して左右非対称となる位置に設けられており、
前記係止状態は、前記係止部材の挿入方向に沿って中心線を引いた場合に、該中心線に対して左右非対称となる位置で、前記第１係合部が前記第１被係合部に係合し、前記第２係合部が前記第２被係合部に係合することによって形成される
ことを特徴とする遊技機。
【００７２】
前記（Ａ１０）に記載の発明によれば、係止部材の挿入方向に沿って引かれた中心線に対して左右非対称となる位置で、この第１係合部が第１被係合部に係合し、この第２係合部が第２被係合部に係合することによって係止状態が形成される。これにより、係止状態において、第１係合部と第１被係合部との係合を不正に解除する作業を行う位置と、第２係合部と第２被係合部との係合を不正に解除する作業を行う位置とは、係止部材の挿入方向に沿って異なる位置となる。したがって、係止部材の挿入方向に沿って同じ位置で作業を行えなくなる分だけ、第１係合部と第１被係合部との係合の解除と、第２係合部と第２被係合部との係合の解除とに時間を掛けさせることで、収容ケースを不正行為に強くすることができる。
【００７３】
（Ａ１１）  前記（Ａ８）から（Ａ１０）のいずれかに記載の遊技機において、
前記第１係合部と前記第２係合部は、弾性変形する弾性構造をそれぞれ有し、
前記第１係合部は、前記第２係合部の前記弾性構造が前記第２係合部の弾性力に抗して弾性変形され始める際の力では、前記第１係合部の弾性力に抗して弾性変形され難い前記弾性構造を有する
ことを特徴とする遊技機。
【００７４】
前記（Ａ１１）に記載の発明によれば、第１係合部の弾性構造と第２係合部の弾性構造とはそれぞれ異なり、第２係合部の弾性構造が第２係合部の弾性力に抗して弾性変形され始める際の力では、第１係合部の弾性構造をその弾性力に抗して変形され難い。これにより、係止状態を不正に解除しようとする際に、第２係合部をその弾性力に抗して弾性変形させることができたとしても、同じ大きさの力では第１係合部をその弾性力に抗して弾性変形させ難い。したがって、第１係合部と第２係合部とを同時に弾性変形させて不正に係止状態を解除しようとするような不正行為が行い難くなるので、収容ケースを不正行為に強くすることができる。
【００７５】
（Ａ１２）  前記（Ａ１１）に記載の遊技機において、
前記第１被係合部と前記第２被係合部は、前記挿入空間において、前記弾性構造をその弾性力に抗して弾性変形させて、該弾性変形した前記弾性構造をその弾性力によって元の形へ復元させる弾性変形用部位をそれぞれ有し、
前記第１被係合部側の前記弾性変形用部位は、前記第２被係合部側の前記弾性変形用部位よりも先に、前記弾性変形した前記弾性構造が前記元の形へ復元するように形成され、
前記係止状態は、前記弾性変形した前記第１係合部が前記元の形へ復元することによって前記第１被係合部に係合してから、前記弾性変形した前記第２係合部が前記元の形へ復元することによって前記第２被係合部に係合することによって形成される
ことを特徴とする遊技機。
【００７６】
前記（Ａ１２）に記載の発明によれば、係止部材を挿入空間に挿入していくと、まず、第１被係合部側の弾性変形用部位で弾性変形した第１係合部の弾性構造が元の形へ復元することによって第１被係合部に係合する。次に、第２被係合部側の弾性変形用部位で弾性変形した第２係合部の弾性構造が元の形へ復元することによって第２被係合部に係合する。つまり、軟らかい方の第２係合部の弾性構造が弾性変形している間に堅い方の第１係合部の弾性構造を押し込んで元の形へ復元させる方が、軟らかい方の第２係合部が第２被係合部に係合された後に堅い方の第１係合部の弾性構造を押し込んで元の形へ復元させるよりも、第１係合部を第１被係合部に係合させる作業がし易い。したがって、弾性構造が異なる場合であっても、係止状態を形成する作業をし易くすることができる。
【００７７】
（Ａ１３）  前記（Ａ６）から（Ａ１２）のいずれかに記載の遊技機において、
前記カバー部材は、前記カバー取付部として、前記収容ケースと接触する縁部に複数の鉤爪状部を備え、
前記収容ケースは、前記カバー取付部として、前記複数の鉤爪状部のスライド移動を許容するスライド許容部と、該スライド許容部に沿って所定の範囲をスライド移動した前記複数の鉤爪状部が挿入された状態で該スライド移動を規制する複数のスライド規制部とを備え、
前記ケース取付部材は、前記収容ケースが取り付けられた状態で、複数の前記スライド規制部のうちの一部のスライド規制部に連通するスライド連通部を備え、
前記複数の鉤爪状部が前記複数のスライド規制部と前記スライド連通部とに挿入された状態で、前記係止部材が前記挿入空間に挿入されることによって、前記収容ケースと前記カバー部材とを分離する方向へのスライド移動と、前記収容ケースと前記ケース取付部材とを分離する方向へのスライド移動とが規制される
ことを特徴とする遊技機。
【００７８】
前記（Ａ１３）に記載の発明によれば、ケース取付部材に収容ケースが取り付けられ且つその収容ケースにカバー部材が取り付けられた状態で、係止部材が挿入空間に挿入されることによって、収容ケースとカバー部材との分離だけでなく、収容ケースとケース取付部材との分離も規制される。反対に、係止状態を解除すれば、収容ケースとカバー部材との分離規制だけでなく、収容ケースとケース取付部材との分離規制も解除される。これによって、収容ケースとカバー部材との分離規制や分離規制の解除と、収容ケースとケース取付部材との分離規制や分離規制の解除とを一つの作業によって行うことができる。したがって、これらの作業効率を向上させることができる。
【００７９】
（Ａ１４）  前記（Ａ８）から（Ａ１３）のいずれかに記載の遊技機において、
前記カバー部材は、前記所定の領域の内側と外側とを区分するカバー外壁部と、該カバー外壁部で囲まれた領域を人の手が触れないように覆う覆い部とを備え、
前記カバー外壁部は、その一部が前記挿入空間を形成する挿入空間形成壁の一部を構成しており、
前記カバー外壁部は、前記挿入空間形成壁または前記挿入空間形成壁に接する箇所に、前記挿入空間の開口縁から前記カバー外壁部の縁部にかけて延びており且つ所定幅を有する間隙が少なくとも２箇所に形成されており、
前記カバー外壁部は、前記挿入空間の開口縁から前記カバー外壁部の縁部までの少なくとも一部の領域において、前記間隙を覆うように前記カバー外壁部の外側に膨出する膨出部を備え、
２箇所の前記膨出部の間に位置する前記カバー外壁部には、前記第１被係合部が設けられており、
２箇所の前記膨出部のうち１箇所の前記膨出部は、その膨らみによって形成される空間に前記係止部材から突出される突出部が挿入されており、
２箇所の前記膨出部が切断されると、その間に位置する前記挿入空間形成壁の少なくとも一部が前記カバー外壁部から分離することによって、前記係止状態が解除されるとともに前記カバー部材と前記係止部材とに前記切断の際に生じる破壊痕跡が残される
ことを特徴とする遊技機。
【００８０】
前記（Ａ１４）に記載の発明によれば、カバー外壁部の挿入空間形成壁またはこの挿入空間形成壁に接する箇所に設けられる２箇所の膨出部を切断すると、挿入空間の開口縁からカバー外壁部の縁部にかけて延びており且つ所定幅を有する間隙に沿って、この２箇所の膨出部の間に位置する挿入空間形成壁がカバー外壁部から分離される。これによって、係止状態が解除される。また、２箇所の膨出部を切断すると、カバー部材が切断されるだけでなく、２箇所の膨出部のうち１箇所の膨出部の膨らみによって形成される空間に突出されている突出部も切断されることによって、カバー部材と係止部材との双方に切断の際に生じる破壊痕跡が残る。これにより、カバー部材を破壊してでも係止部材を無傷で取り出そうとするような不正行為を行い難くなるので、収容ケースを不正行為に強くすることができる。
【００８１】
（Ａ１５）  前記（Ａ１４）に記載の遊技機において、
前記収容ケースは、前記所定の領域の内側と外側とを区分するケース外壁部を備え、
前記ケース外壁部は、その一部が前記挿入空間を形成する挿入空間形成壁の一部として構成されており、
前記ケース外壁部は、前記挿入空間形成壁の一部において、前記隙間沿って前記膨出部と並んだ位置に配置されており、前記膨出部に挿入された前記突出部と同じ方向に突出するケース突出部を有する
ことを特徴とする遊技機。
【００８２】
前記（Ａ１５）に記載の発明によれば、突出部が挿入された膨出部を切断すると、カバー部材と係止部材の一部が切断されるだけでなく、上述の隙間に沿ってこの膨出部と並んだ位置に配置されており、ケース外壁部の挿入空間形成壁から突出部と同じ方向に突出しているケース突出部の少なくとも一部も破壊される。これにより、カバー部材と係止部材だけでなく収容ケースにも、膨出部を切断する際に生じる破壊痕跡を残すことができる。したがって、破壊痕跡が多く残る分だけ不正行為を発見し易くなる。また、係止状態が不正に解除された後の収容ケースとカバー部材とを再利用した不正な収容ケースを無傷で作ることを難しくすることができる。
【００８３】
（Ａ１６）  遊技に関する制御を行う制御基板を内部に収容する収容ケースと、
前記収容ケースを所定の部位に取り付けるケース取付部材と、
前記収容ケースの所定の領域を覆うカバー部材と、
前記収容ケースと前記カバー部材とを着脱不能な状態で取り付ける取付部材と、を備え、
前記カバー部材と前記取付部材は、前記収容ケースと前記カバー部材との前記着脱不能な状態を解除するために破壊される第１被破壊部位をそれぞれ備え、
前記第１被破壊部位は、遊技機正面視で上下方向・左右方向・前後方向の少なくとも何れかの方向から、前記カバー部材の一部が前記取付部材の一部に重なった部位である
ことを特徴とする遊技機。
【００８４】
前記（Ａ１６）に記載の遊技機によれば、取付部材による着脱不能な状態では、収容ケースの所定の領域からカバー部材を取り外し難くなる。つまり、収容ケースの所定の領域に対する不正なアクセスを行い難い状態となる。カバー部材が収容ケースから取り外される場合、取付部材による収容ケースとカバー部材との着脱不能な状態を解除するために、カバー部材と第２取付手段に備えられる第１被破壊部位が破壊される。カバー部材側の第１被破壊部位は、取付部材側の第１被破壊部位を、遊技機正面視で上下方向・左右方向・前後方向の少なくとも何れかの方向から覆うように重なった状態となっているので、１回の破壊動作でカバー部材と第２取付手段の両方の第１被破壊部位に破壊痕跡が残る。よって、カバー部材を収容ケースから不正に取り外した痕跡を発見し易くなる。したがって、収容ケースが正常に取り付けた状態で所定の領域を介して行われる不正行為を行い難くすることができるとともに、不正行為が行われた場合はその発見を容易にすることができる。
その結果、基板収容ケースの所定領域を保護できるとともに、その基板収容ケースの所定領域の保護に対する不正行為があった場合はその発見を容易にする基板収容ケースを備えた遊技機を提供することができる。
なお、第１被破壊部位が重なる方向は、収容ケースが取り付けられる所定の部位の向きに応じて決まるものである。カバー部材の一部が取付部材の一部に重った部位は、１回の破壊動作でカバー部材と第２取付手段の両方の第１被破壊部位に破壊痕跡が残るならば、多少の隙間がある部位も場合も含む。
【００８５】
（Ａ１７）  前記（Ａ１６）に記載の遊技機において、
前記収容ケースは、前記第１被破壊部位が破壊される場合に、前記第１被破壊部位とともに破壊され易い状態で配置された第２破壊箇所を備える
ことを特徴とする遊技機。
【００８６】
前記（Ａ１７）に記載の遊技機によれば、収容ケースには第２被破壊箇所が第１被破壊部位とともに破壊され易い状態で配置されているので、第１被破壊部位が破壊される場合に収容ケースにも破壊痕跡が残る可能性がある。これにより、取付部材による収容ケースとカバー部材との着脱不能な状態の解除があったことを示す痕跡は、解除の際に必然的に破壊されるカバー部材に留まらず、解除の際に必然的に破壊される訳ではない収容ケースにも残る可能性があるので、解除の痕跡を発見し易くなる。
【００８７】
（Ａ１８）  前記（Ａ１７）に記載の遊技機において、
前記第１被破壊部位とともに破壊され易い状態は、前記第１被破壊部位を破壊するための破壊具が挿入される方向に沿って、前記第２被破壊箇所が前記第１被破箇所に並んで配置される状態である
ことを特徴とする遊技機。
【００８８】
前記（Ａ１８）に記載の遊技機によれば、収容ケースには、第１被破壊部位を破壊するための破壊具が挿入される方向に沿って、第２被破壊箇所が第１被破箇所に並んで配置されているので、第１被破壊部位が破壊される場合に、第１被破壊部位の破壊とともに第２被破壊箇所が破壊されやすくなる。これにより、解除痕跡がカバー部材に留まらず、収容ケースにも残る可能性が高まるので、解除痕跡を発見できる可能性が高まる。
なお、第１被破壊部位を破壊するための破壊具は、例えば、先端の細いニッパーのような道具である。
【００８９】
（Ａ１９）  前記（Ａ１７）または（Ａ１８）に記載の遊技機において、
前記第１被破壊部位とともに破壊され易い状態は、前記収容ケースが前記ケース取付部材によって前記所定の部位に取り付けられた状態において遊技機正面視で、前記第２被破壊箇所が前記第１被破壊部位の背後に配置される状態である
ことを特徴とする遊技機。
【００９０】
前記（Ａ１９）に記載の遊技機によれば、収容ケースには、収容ケースがケース取付部材によって所定の部位に取り付けられた状態において遊技機正面視で、第２被破壊箇所が第１被破壊部位の背後に配置されているので、第１被破壊部位が破壊される場合に、第１被破壊部位だけを破壊したつもりが、知らないうちに第２被破壊箇所も破壊しやすくなる。これにより、仮にカバー部材に残っている解除痕跡を隠せたとしても、知らないうちに収容ケースにも残っている解除痕跡を隠すことができないので、解除痕跡を発見できる可能性がさらに高くなる。
【００９１】
（Ａ２０）  前記（Ａ１６）から（Ａ１９）のいずれかに記載の遊技機において、
前記（Ａ１）から（Ａ１５）のいずれかに記載の遊技機の構成を適用する
ことを特徴とする遊技機。
【００９２】
前記（Ａ２０）に記載の遊技機によれば、前記（Ａ１）から（Ａ１５）のいずれかに記載の遊技機と同様の作用効果を奏する。
この場合、前記（Ａ１６）に記載の「取付部材」は、前記（Ａ１）から（Ａ１５）のいずれかに記載の「第２取付手段」に対応する。
【００９３】
（Ａ２１）  前記（Ａ１）から（Ａ２０）に記載の遊技機において、
前記遊技機はパチンコ機であることを特徴とする遊技機。
【００９４】
前記（Ａ２１）に記載の遊技機によれば、不正使用を防止できる遊技機用収容ケース（例えば基板ケース）を備えたパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００９５】
（２２）  前記（１）から（２０）に記載の遊技機において、
前記遊技機はスロットマシンであることを特徴とする遊技機。
【００９６】
前記（Ａ２２）に記載の遊技機によれば、不正使用を防止できる遊技機用収容ケース（例えば基板ケース）を備えたスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００９７】
（Ａ２３）  前記（Ａ１）から（Ａ２０）に記載の遊技機において、
前記遊技機はパチンコ機とスロットマシンとを融合させたものであることを特徴とする遊技機。
【００９８】
前記（Ａ２３）に記載の遊技機によれば、不正使用を防止できる遊技機用収容ケース（例えば基板ケース）を備えた、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【００９９】
以下、遊技機の一例としてスロットマシン１０の各種の実施の形態を、図面に基づいて詳細に説明する。
【実施例１】
【０１００】
図１は、実施例１のスロットマシン１０の前面扉を閉じた状態の斜視図である。図２は、実施例１のスロットマシン１０の正面図である。図３は、前面扉１２を取り外した状態での実施例１のスロットマシン１０の内部を示す図である。図４は、前面扉１２の裏面図である。
【０１０１】
なお、以下では、特に断らない限り、スロットマシン１０を正面から見た状態で、正面，背面，前後，上下左右の言葉を用いる。また、前面扉１２を取り外した状態でのスロットマシン１０の内部を説明するときは、前面扉１２を取り外した状態でのスロットマシン１０の内部を正面から見た状態で、正面，背面，前後，上下左右の言葉を用いる。
【０１０２】
本実施例のスロットマシン１０は、図１に示すように、前面側に開口部１１ａ（図３参照）を有する本体１１と、この本体１１の前面側で開閉可能であって閉状態で開口部１１ａを閉塞する前面扉１２とを備えている。前面扉１２は、図１，図２に示すように、その左辺を回転軸Ｊ１として、本体１１に回動可能（開閉可能）に取り付けられている。また、スロットマシン１０は、図１，図２に示すように、前面扉１２を閉じた状態で施錠装置２０により前面扉１２と本体１１とが施錠される。
【０１０３】
前面扉１２には、図１，図２に示すように、遊技の進行に伴い点灯したり点滅したりする上部ランプ１３と、遊技の進行に伴い種々の効果音を鳴らしたり遊技者に遊技状態を報知したりするスピーカ１４，１４と、各種表示内容を表示する液晶ディスプレイ１５と、後述する左回胴Ｌと中回胴Ｍと右回胴Ｒ（図３参照）とをそれぞれ透視可能な遊技パネル３０と、略中段付近にて各種ボタン５１，５３〜５６，６１，６３やスタートレバー５２やメダル投入口５７が設けられた操作部５０と、機種名や遊技に関わるキャラクタなどが表示された下段表示部１６と、メダル払出口１７から払い出された遊技用媒体としてのメダルを受けるメダル受け皿１８とが装着されている。
【０１０４】
また、スロットマシン１０の内部には、図３に示すように、電源ボックス８５と、ホッパ８６と、リールユニット２５と、主制御装置７０と、サブ制御装置９４（図４参照）とが装着されている。
【０１０５】
電源ボックス８５は、図３に示すように、オンされるとスロットマシン１０の各部に電源を供給する電源スイッチ８１を備えている。
【０１０６】
ホッパ８６は、図３に示すように、溢れるメダルの外部への誘導口８９を有し投入されたメダルを貯留する補助タンク８７とこの補助タンク８７内のメダルを払出用通路９２（図４参照）に通じる開口９３（図４参照）を介してメダル払出口１７へ払い出す払出装置８８とから構成されている。
【０１０７】
リールユニット２５は、図３，図５に示すように、複数の図柄を表示する左回胴Ｌと中回胴Ｍと右回胴Ｒとを有し、これらの左回胴Ｌ、中回胴Ｍ及び右回胴Ｒを回転させることで複数の図柄を変動表示するものである。
【０１０８】
主制御装置７０は、スロットマシン１０の遊技に関する制御を行うものである。また、主制御装置７０は、各種の処理プログラムを実行する中央演算処理装置としてのＣＰＵと、ＣＰＵに実行させる処理プログラムを記憶するＲＯＭと、一時的にデータを記憶するＲＡＭなどを中心とするマイクロコンピュータとして構成されている。ＣＰＵ，ＲＯＭ，ＲＡＭは、それぞれの入出力処理回路がバスによって接続されている。ＣＰＵ，ＲＯＭ，ＲＡＭまたはこれらを構成するマイクロコンピュータなどの電子部品や、主制御装置７０と後述するサブ制御装置９４や他の制御装置とを電気的に接続するためのコネクタなどは、後述する主制御基板７３に備えられている。
【０１０９】
サブ制御装置９４（図４参照）は、ＣＰＵ，ＲＯＭ，ＲＡＭを中心とするマイクロコンピュータとして構成されており、主制御装置７０からの出力信号によって、液晶ディスプレイ１５の表示内容や音声の出力やランプの点灯などの制御を行う。このサブ制御装置９４は、例えば、図４に示すように、前面扉１２の裏面側の上部箇所に取り付けられている。ＣＰＵ，ＲＯＭ，ＲＡＭまたはこれらを構成するマイクロコンピュータなどの電子部品や、サブ制御装置９４と主制御装置７０や他の制御装置とを電気的に接続するためのコネクタなどは、後述する表示制御基板９４ｂに備えられている。
【０１１０】
遊技パネル３０は、図１に示すように、リールユニット２５の左回胴Ｌ、中回胴Ｍ及び右回胴Ｒ（図３参照）の停止中または回転中の様子を外部に露出する露出窓３１Ｌ，３１Ｍ，３１Ｒを備え、露出窓３１Ｌの左側に配設された５つのベットランプ３２，３３，３３，３４，３４と、この露出窓３１Ｌ，３１Ｍ，３１Ｒの下側に配設されている、スロットマシン内部に貯留されている枚数を表示するものであるクレジット枚数表示部３５と、ビックボーナス時にあと何回ＪＡＣ（ジャック）インできるかとかＪＡＣゲーム時にあと何回ＪＡＣ図柄成立が残っているかといった回数を表示するものであるゲーム数表示部３６と、有効ライン上に同じ図柄が揃って入賞したときに払い出された枚数を表示するものである払出枚数表示部３７とを備えている。
【０１１１】
操作部５０は、図１，図２に示すように、前面扉１２の前面部に設けられたクレジットボタン５１と、スタートレバー５２と、左回胴用ストップボタン５３と、中回胴用ストップボタン５４と、右回胴用ストップボタン５５と、返却ボタン５６と、前面扉１２の水平段部に設けられたメダル投入口５７と、１枚ベットボタン６１と、マックスベットボタン６３とを備えている。
【０１１２】
スロットマシン１０における遊技の流れについて説明する。
【０１１３】
メダル投入口５７から所定数のメダルが投入されることによって有効ラインスが決定され、スタートレバー５２が操作されることによって、主制御装置７０は、小役，レギュラーボーナス，ビッグボーナスなどの役や後述する押し順役やリプレイに当選するか否かの抽選を行うとともに、左回胴Ｌと中回胴Ｍと右回胴Ｒを回転させる。役の抽選によって所定の役に当選しており、ストップボタン５３，５４，５５の操作によって当選した役に対応する図柄が有効ライン上に成立している場合、有価価値としてのメダルの払い出しが行われる。成立した役がレギュラーボーナスやビッグボーナスである場合、子役の抽選確率が通常よりも上昇した所定数のＪＡＣゲームまたはボーナスゲームと呼ばれる特別遊技状態に移行する。押し順役に当選している場合は、当該押し順でストップボタン５３，５４，５５の操作が行われると、当選した役に対応する図柄（例えばベル）が有効ラインに成立し、メダルの払い出しが行われる。
【０１１４】
サブ制御装置９４は、この押し順役を揃えるためにストップボタン５３，５４，５５を操作する順番つまり押し順を遊技者に報知する補助遊技状態を発生させる抽選を行う。具体的には、サブ制御装置９４は、主制御装置７０での抽選結果が特定の役への当選である場合に、所定の確率で補助遊技状態を発生させる。そのため、このような補助遊技状態も、遊技者が有価価値としてのメダルを多く獲得するための特別遊技状態と言える。補助遊技状態は、所定ゲーム数、続く場合もある。なお、１ゲームは、メダルを投入してから、当該メダル投入に基づく役の成立によって払い出しを受けるまで、あるいは、役が成立せずに払い出しがないという結果までを意味している。
【０１１５】
補助遊技状態における押し順報知は、例えば液晶ディスプレイ１５にて行われる。サブ制御装置９４は、補助遊技状態が発生している場合で且つ主制御装置７０にて上述した押し順役に当選したとき、液晶ディスプレイ１５に上述した押し順役を揃えるための押し順を表示させる等の報知を行う。
【０１１６】
ここで、以下の説明での参考のために、補助遊技状態に関する不正行為について説明する。ただし、本発明が適用される範囲は、本実施例の後に述べるように、この種の不正行為の防止に限られる訳ではない。主制御基板７３は、上述した特定の役に当選したことを知らせる信号をサブ制御装置９４に送信する。サブ制御装置９４は、この信号を受信すると、上述したように補助遊技状態を発生させるか否かの抽選を行い、所定の確率で補助遊技状態を発生させる。この特定の役への当選を知らせる信号は、主制御基板７３のコネクタから送信されて、このコネクタの一端に接続されるケーブルを通って伝送されて、このケーブルの他端に接続されるコネクタからサブ制御装置９４に受信される。そのため、主制御基板７３とサブ制御装置９４との間に、上述した特定の役に当選したことを知らせる信号を不正にサブ制御装置９４に送信する不正部材を介在させて、不正に補助遊技状態を発生させる、という不正行為が行われることがある。例えば、主制御基板７３のコネクタが不正な基板（いわゆる、ぶら下げ基板）を仕込まれた不正なコネクタに付け替えられて、不正なコネクタ内の不正な基板がサブ制御装置９４に不正に上述した特定の役に当選したことを知らせる信号を送り続けることで、サブ制御装置９４に不正に補助遊技状態を発生させるような不正行為である。
【０１１７】
ここで、スロットマシン１０の主制御装置７０及びその主制御装置７０が取り付けられる取付台１００の構造などについてもう少し詳細に説明する。
【０１１８】
スロットマシン１０は、図３に示すように、その本体１１の内部奥側で、且つ、リールユニット２５の上方位置に取り付けられた取付台１００に、当該スロットマシン１０の遊技を統括制御する主制御装置７０が取り付けられている。
【０１１９】
具体的には、取付台１００は、図３に示すように、本体１１の内部奥側に固定される固定部材１１０と、主制御装置７０を保持する回動ベース１２０と、回動ベース１２０を保持した状態で固定部材１１０の正面側に固定するベース保持体１２５とを備えている。
【０１２０】
固定部材１１０は、その正面視で横長の長方形状であり、金属製の板状部材で構成されている。固定部材１１０は、本体１１の内部奥側面箇所で、リールユニット２５の上方箇所にネジ止めなどによって取り外し不可に固定されている。
【０１２１】
回動ベース１２０は、固定部材１１０の下辺側に回動軸Ｊ２を設けており、主制御装置７０を保持した状態でこの回動軸Ｊ２を中心に、図３に示す起立姿勢と、この起立姿勢から前側に倒れ込む傾倒姿勢とに回動するものである。回動ベース１２０は、傾倒姿勢としたときに前側から主制御装置７０をスライドさせて挿入できるように構成されており、起立姿勢としたときに主制御装置７０の前面側でコネクタ接続作業や設定変更作業ができるように前面側が開放されている。回動ベース１２０は、透明樹脂成型品である。なお、図３では、回動ベース１２０の右前側面１２０ａと下前側面１２０ｂと左前側面１２０ｃとが見えている。
【０１２２】
ベース保持体１２５は、左右両側の部位の間に回動ベース１２０の回動軸１２０ｄを保持した状態で、固定部材１１０に取り外し不可に固定されている。ベース保持体１２５は、回動ベース１２０が起立姿勢や傾倒姿勢に自由に回動できるように回動ベース１２０を支えている。回動ベース１２０は、樹脂成型品である。なお、図３では、ベース保持体１２５の右側部位１２５ａと左側部位１２５ｂとが見えている。
【０１２３】
ここで、図５を用いて、主制御装置７０について説明する。図５は、回動ベース１２０に支持された状態の主制御装置の斜視図である。
【０１２４】
主制御装置７０は、スロットマシン１０の遊技を統括制御する主制御基板７３と、この主制御基板７３を内部に収容する主基板ケース７４とを備えている。
【０１２５】
主基板ケース７４は、主制御基板７３が取り付けられるケース上７１と、このケース上７１での主制御基板７３の取付面側に合わされるケース下７２とを備え、ケース上７１とケース下７２とを合わせた状態での内部空間に主制御基板７３を収容するものである。本実施例では、ケース上７１及びケース下７２は、例えば回動ベース１２０と同じ透明樹脂成型品としている。
【０１２６】
この実施例では、主制御基板７３は、ＩＣ（集積回路）や各種スイッチ部品やコネクタなどの電子部品が実装される実装面を、ケース上７１の内側面に対向させた状態で、ネジなどの締結部品でケース上７１の内側面の所定箇所に取り付けられる。そして、主制御基板７３が取り付けられたケース上７１にケース下７２を合わせることから、主制御基板７３の半田面は、ケース下７２の内側面に対向した状態となる。
【０１２７】
主制御装置７０は、スロットマシン１０をリセットするときに操作するリセットスイッチ８２や、図示しない設定キーを挿入することにより、スロットマシン１０の設定状態を変更可能にする設定キースイッチ８３を備えている。ケース上７１の左端上部箇所にそれぞれ設けられた開閉蓋７１ａ，７１ｂを開いて、リセットスイッチ８２と設定キースイッチ８３とが操作できる。
【０１２８】
主基板ケース７４は、後述する図１３，図１４に示すように、主制御基板７３が取り付けられたケース上７１でのその主制御基板７３の半田面側にケース下７２を合わせた状態でケース上７１またはケース下７２の少なくとも一方を当該合わせ面所定方向（本実施例では、例えば主基板ケース７４の長手方向）にスライド移動させることでケース上７１とケース下７２とを組み付けるケース組付け部１７０を備えている。
【０１２９】
ケース組付け部１７０は、ケース下７２の長手側の両辺箇所に当該辺方向に並設された複数個の鉤爪状部１７２と、ケース上７１の長手側の両辺箇所に当該辺方向に並設された、ケース下７２の鉤爪状部１７２と掛かり合う姿勢で配設される複数固の鉤爪状部１７４と、を備える。当該ケース上７１とケース下７２とを合わせた状態にして、ケース上７１またはケース下７２の少なくとも一方をその長手方向にスライド移動させることで、ケース下７２の各鉤爪状部１７２とケース上７１の各鉤爪状部１７４とが掛かり合い、ケース上７１とケース下７２とが組み付けられる組み付け状態となる。ケース組合せ部１７０は、組み付け状態において、ケース上７１とケース下７２とを主制御基板７３の実装面または半田面に垂直な方向に分離させようとしても、ケース上７１とケース下７２とを分離させ難くするものである。
【０１３０】
ここで、主制御基板７３が内部に収容された状態でケース上７１とケース下７２とを開放し難い状態とする封止手段７５，７６について、図６〜図９を用いて説明する。図６は、回動ベース１２０から取り外された主制御装置７０の分解斜視図である。図７は、図６に示すケース上７１の斜視図である。図８は、図６に示すケース下７２の斜視図である。図９は、回動ベース１２０に支持された状態の主制御装置７０の正面図である。
【０１３１】
主基板ケース７４における上側面の右端には、第１封止手段７５が設けられており、主基板ケース７４における上側面の左端には、第２封止手段７６が設けられている。第１封止手段７５，第２封止手段７６はそれぞれ、主制御基板７３が内部に収容された状態でのケース下７２とケース上７１との所定箇所に互いに重なるように形成される一対の被封止部７７，７８を備えている。第１封止手段７５を構成する一対の被封止部７５ａ，７５ｂは、ケース上７１における上側面の右端側とケース下７２における上側面の右端側とに、それぞれ突設されている。第２封止手段７６を構成する一対の被封止部７６ａ，７６ｂは、ケース上７１における上側面の左端側とケース下７２における上側面の左端側とに、それぞれ突設されている。また、第１封止手段７５，第２封止手段７６は、重ね合わされた一対の被封止部７５ａ，７５ｂ及び７６ａ，７６ｂに挿入されることによってケース下７２とケース上７１とを開放し難い状態とする封止用ピン７９を備えている。第１被封止部７５ａと第２被封止部７５ｂに封止用ピン７９が挿入され、第１被封止部７６ａと第２被封止部７６ｂに封止用ピン７９が挿入されることによって、第１封止手段７５と第２封止手段７６は、主制御基板７３が内部に収容された状態でケース上７１とケース下７２とを開放し難い封止状態となる。
【０１３２】
一対の被封止部７５ａ，７５ｂ及び７６ａ，７６ｂは、第１被封止部７５ａ、７６ａと、ケース下７２とケース上７１とを開放し難い状態を解除するために第１被封止部７５ａ，７６ａよりも破壊され易いように形成される被破壊部７８Ａ，７８Ｂを有する第２被封止部７５ｂ，７６ｂと、で構成されている。具体的には、第１封止手段７５を構成する一対の被封止部７５ａ，７５ｂは、第１被封止部７５ａがケース下７２に設けられ、第２被封止部７５ｂと被破壊部７８Ａがケース上７１に設けられる。第２封止手段７６を構成する一対の被封止部７６ａ，７６ｂは、第１封止手段７５とは反対に、第１被封止部７６ａがケース上７１に設けられ、第２被封止部７６ｂと被破壊部７８Ｂがケース下７２に設けられる。そのため、第１封止手段７５と第２封止手段７６によって作られたケース上７１とケース下７２の封止状態を解除しようとして被破壊部７８Ａ，７８Ｂが破壊されると、ケース上７１にもケース下７２にも破壊痕跡が残る。
【０１３３】
第１封止手段７５を構成する第１被封止部７５ａと第２被封止部７５ｂについて説明する。
【０１３４】
第１封止手段７５を構成する第１被封止部７５ａは、ケース下７２の上側面から上方に向けて突出形成されている第１箱状部材７５ｃと、第１箱状部材７５ｃを構成する面のうち第２被封止部７５ｂに対向する面に形成されており封止用ピン７９をネジ止めするためのネジ孔７５ｄを有するボス７５ｅと、で構成されている。
【０１３５】
第１封止手段７５を構成する第２被封止部７５ｂは、ケース上７１の上側面から上方に向けて延出する肉薄の２本の延出部７５ｆと、延出部７５ｆの先端に設けられた肉薄で有底の第１枡状部材７５ｇと、で構成されている。第１枡状部材７５ｇは、封止用ピン７９を挿通するための領域を囲む周壁部７５ｈと、底部７５ｉと、底部７５ｉに穿設される封止用ピン７９が貫通する貫通孔７５ｊとで構成されている。延出部７５ｆは、ケース上７１の一部として構成されているが、第１封止手段７５を構成する第１被封止部７５ａよりも厚みが薄いために、第１封止手段７５を構成する第１被封止部７５ａよりも破壊され易く構成されている。すなわち、第１封止手段７５での被破壊部７８Ａは、延出部７５ｆによって構成されている。
【０１３６】
なお、第１封止手段７５を構成する第１被封止部７５ａと第２被封止部７５ｂとは、ケース上７１とケース下７２とを重ねて閉じ合わせた状態で、第２被封止部７５ｂを構成する第１枡状部材７５ｇの貫通孔７５ｊの位置と、第１被封止部７５ａを構成する第１箱状部材７５ｃのボス７５ｅの位置とが合致する。
【０１３７】
次に、第２封止手段７６を構成する第１被封止部７６ａと第２被封止部７６ｂについて説明する。
【０１３８】
第２封止手段７６を構成する第１被封止部７６ａは、ケース上７１の上側面から上方に向けて延出し且つ先端をケース上７１の内側に向けて直角に屈曲したＬ字状に突出形成されている第２箱状部材７６ｃと、第２箱状部材７６ｃを構成する面のうち第１被封止部７６ａに対向する面に形成されており封止用ピン７９をネジ止めするためのネジ孔７６ｄを有するボス７６ｅと、で構成されている。第２箱状部材７６ｃの直角に屈曲した箇所を屈曲部７６ｆとする。屈曲部７６ｆとケース上７１の上側面との間には、ケース上７１とケース下７２とを重ねて閉じ合わせた状態で、ケース下７２側の前方延出部７６ｇの一部が重なる。当該隙間に前方延出部７６ｇの一部が重なった状態で、後述する上方延出部７６ｈと第２枡状部材７６ｉとは、第２箱状部材７６ｃの前方に面している。
【０１３９】
第２封止手段７６を構成する第２被封止部７６ｂは、ケース下７２の上側面から前方へ向けて延出する平板状の前方延出部７６ｇと、前方延出部７６ｇの先端から上方に延出する肉薄の２本の上方延出部７６ｈと、上方延出部７６ｈの先端に設けられた肉薄で有底の第２枡状部材７６ｉとで、構成されている。第２枡状部材７６ｉは、封止用ピン７９を挿通するための領域を囲む周壁部７６ｊと、底部７６ｋと、底部７６ｋに穿設される封止用ピン７９が貫通する貫通孔７６ｌとで構成されている。上方延出部７６ｈは、ケース下７２の一部として構成されているが、厚みが薄いために第２封止手段７６を構成する第１被封止部７６ａよりも破壊され易く構成されている。すなわち、第２封止手段７６での被破壊部７８Ｂは、上方延出部７６ｈによって構成されている。
【０１４０】
なお、第２封止手段７６を構成する第１被封止部７６ａと第２被封止部７６ｂとは、ケース上７１とケース下７２とを重ねてとじ合わせた状態で、第２被封止部７６ｂを構成する第２枡状部材７６ｉの貫通孔７６ｌの位置と、第１被封止部７６ａを構成する第２箱状部材７６ｃのボス７６ｅの位置とが合致する。
【０１４１】
封止用ピン７９は、例えば、ネジ孔７５ｄ，７６ｄにネジ止めされることで、ボス７５ｅ，７６ｅに固定されて、緩める方向に回すことで、所定箇所（例えばネジ頭）が破断する破断ネジのような特殊ネジが使用されている。特殊ネジは、破断ネジ以外にも、緩める方向に回せないあるいは回しがたいワンウェイネジでもよい。また、封止用ピン７９は、特殊ネジではない通常のネジであってもよい。例えば、通常のネジをネジ孔７５ｄ，７６ｄにネジ止めした後、第１枡状部材７５ｇ，第２枡状部材７６ｉに光硬化性樹脂を注入した後に、紫外線照射によって硬化させて、ケース上７１とケース下７２とを開封し難い状態とするものであってもよい。また、封止用ピン７９のようなピン形状以外の部材であってもよく、第１被封止部７５ａ，７６ａと第２被封止部７５ｂ，７６ｂとに取り付けられてケース上７１とケース下７２とを開封し難い状態とするものであればよい。
【０１４２】
次に、被破壊部７８Ａと被破壊部７８Ｂとの配置についてもう少し詳細に説明する。
【０１４３】
被破壊部７８Ａと被破壊部７８Ｂは、第１被封止部７５ａ，７６ａと第２被封止部７５ｂ，７６ｂとが互いに重ね合わされた状態で同じ方向に面している。具体的には、ケース上７１とケース下７２とを重ねて閉じ合わせた状態で、被破壊部７８Ａと被破壊部７８Ｂは、主制御基板７３の部品搭載面が向く方向や、ケース上７１の開閉蓋７１ａ，７１ｂが向く方向と同じ方向に面している。すなわち、被破壊部７８Ａと被破壊部７８Ｂは、主基板ケース７４が遊技機本体に取り付けられた状態で、遊技機前方を向いている。被破壊部７８Ａは、ケース上７１の一部で形成されており、被破壊部７８Ｂは、ケース下７２の一部で形成されているが、被破壊部７８Ａと被破壊部７８Ｂが同じ方向に面しているので、被破壊部７８Ａと被破壊部７８Ｂがケース上７１とケース下７２とに分けて設けられていることが目立ちにくくなっている。
【０１４４】
言い換えれば、被破壊部７８Ａと被破壊部７８Ｂは、基板収容ケース７４が本体１１内部に取り付けられた状態で、同じ側（すなわち、ケース上７１の開閉蓋７１ａ，７１ｂが設けられている側）に位置しており、同じ側に面している。つまり、被破壊部７８Ａと被破壊部７８Ｂは基板収容ケース７４が本体１１内部に取り付けられた状態で同じ側を向いているので、作業者が前面扉１２を開放して、本体１１内部の基板収容ケース７４が不正品であるか否かを被破壊部７８Ａと被破壊部７８Ｂの破壊痕跡の有無によって確認する際に、基板収容ケース７４の同じ側を確認することによって、被破壊部７８Ａと被破壊部７８Ｂとの両方を一度に確認することができる。そのため、被破壊部７８Ａと被破壊部７８Ｂを確認する作業効率を向上させることができる。
【０１４５】
また、被破壊部７８Ａと被破壊部７８Ｂは、ともにケース上７１の上側面の前方寄りの位置（開閉蓋７１ａ，７１ｂが設けられる面に近い位置）に配設されている。また、被破壊部７８Ａと被破壊部７８Ｂは、基板ケース７４が遊技機本体に取り付けられた状態で、奥行き方向の位置がほぼ同じ位置で横並びに配設されている。そのため、被破壊部７８Ａと被破壊部７８Ｂは、同じ方向に面しているだけでなく、配設される位置もほぼ同じ位置であるので、被破壊部７８Ａと被破壊部７８Ｂがケース上７１とケース下７２とに分けて設けられていることが目立ちにくくなっている。
【０１４６】
また、第１封止手段７５の第２被封止部７５ｂと第２封止手段７６の第２被封止部７６ｂとは、第１被封止部７５ａ，７６ａと第２被封止部７５ｂ，７６ｂとが重ね合わされた状態で、被破壊部７８Ａ，７８Ｂが面する方向と同じ方向から見ると、ほとんど同一の形状である。具体的には、第１封止手段７５の第２被封止部７５ｂと第２封止手段７６の第２被封止部７６ｂとは、全体的に四角い印象を与える「８」の字や「日」の字に見えるような形状である。そのため第１封止手段７５の第２被封止部７５ｂと第２封止手段７６の第２被封止部７６ｂとは、被破壊部７８Ａ，７８Ｂが面する方向と同じ方向から見ると、第１封止手段７５の形状と第２封止手段７６の形状にほとんど違いが無いなので、被破壊部７８Ａ，７８Ｂがケース上７１とケース下７２とに分けて設けられていることに気付かせにくくなっている。
【０１４７】
また、第１被封止部７５ａ，７６ａと第２被封止部７５ｂ，７６ｂとが重ね合わされた状態で、被破壊部７８Ａ，７８Ｂが面する方向と同じ方向から見ると、第１封止手段７５での被破壊部７８Ａの背後に位置する第１被封止部７５ａと、第２封止手段７６での被破壊部７８Ｂの背後に位置する第１被封止部７６ａとが、ほぼ同一の形状である。具体的には、第１封止手段７５での第１被封止部７５ａは、第２被封止部７５ｂからはみ出した部分が縦長の長方形状であり、第２封止手段７６での第１被封止部７６ａは、第１封止手段７５での第１被封止部７５ａのはみ出し部分よりもやや幅広であるが、同様に第２被封止部７６ｂからはみ出した分が縦長の長方形状である。なお、第２封止手段７６での第１被封止部７６ａは、屈曲部７６ｆがある箇所に隙間が生じるものの、当該隙間は、基板ケース７４全体に占める面積が小さく、一見では識別されにくくなっている。そのため、被破壊部７８Ａ，７８Ｂが面する方向と同じ方向から見ると、第１封止手段７５での第１被封止部７５ａの形状と、第２封止手段７６での第１被封止部７６ａの形状にほとんど違いが無いので、第１被封止部７５ａ、７６ａの形状の違いから、被破壊部７８Ａ，７８Ｂがケース上７１とケース下７２とに分けて設けられていることに気付かれることを低減できる。
【０１４８】
次に、第１封止手段７５，第２封止手段７６を、主制御基板７３が内部に収容された状態でケース上７１とケース下７２とを開放し難い状態とする手順について、図１０，図１１を用いて説明する。図１０は、（ａ）は、重ね合わせた状態の主基板ケース７４の斜視図であり、（ｂ）は、（ａ）の後に閉じ合わされた主基板ケース７４の斜視図である。図１１は、（ａ）は、第２封止手段７６を説明するための図９の主基板ケース７４のＦＦ断面であり、（ｂ）は、第１封止手段７５を説明するための図９の主基板ケース７４のＧＧ断面である。
【０１４９】
まず、ケース上７１とケース下７２とを重ねて閉じ合わせた状態とする。これにより、第１封止手段７５は、ケース上７１の第２被封止部７５ｂがケース下７２の第１被封止部７５ａの前側に位置するように前後に接合される。第２封止手段７６は、ケース下７２の第２被封止部７６ｂがケース上７１の第１被封止部７６ａの前側に位置するように前後に接合される。この状態で、第１封止手段７５を構成する前側の第２被封止部７５ｂの貫通孔７５ｊから封止用ピン７９を挿入して、後側の第１被封止部７５ａのネジ孔７５ｄにネジ止めする。第２封止手段７６を構成する前側の第２被封止部７６ｂの貫通孔７６ｌから封止用ピン７９を挿入して、後側の第１被封止部７６ａのネジ孔７６ｄにネジ止めする。このようにして、第１封止手段７５，第２封止手段７６は、主制御基板７３が内部に収容された状態でケース上７１とケース下７２とを開放し難い状態となる。
【０１５０】
次に、第１封止手段７５，第２封止手段７６を、主制御基板７３が内部に収容された状態でケース上７１とケース下７２とを開放し難い状態を解除する手順について、図１２を用いて説明する。図１２は、（ａ）は、主制御装置７０の平面図であり、（ｂ）は、（ａ）に示す第２封止手段７６のＨＨ断面であり、（ｃ）は、（ａ）に示す第１封止手段７５のＩＩ断面である。
【０１５１】
第１封止手段７５を構成するケース上７１の第２被封止部７５ｂの２本の延出部７５ｆの所定箇所（例えば符号Ｓ３を付した一点鎖線で示す箇所）をニッパーなどの切断手段で切断する。これにより、第２被封止部７５ｂは、ケース下７２の第１被封止部７５ａに固定される第１枡状部材７５ｇと、ケース上７１の上側面に設けられる延出部７５ｆとに分離される。また、第２封止手段７６を構成するケース下７２の第２被封止部７６ｂの２本の上方延出部７６ｈの所定箇所（例えば符号Ｓ４を付した一点鎖線で示す箇所）をニッパーなどの切断手段で切断する。これにより、第２被封止部７６ｂは、ケース上７１の第１被封止部７６ａに固定される第２枡状部材７６ｉと、ケース下７２の上側面に設けられる上方延出部７６ｈとに分離される。このように、第１封止手段７５，第２封止手段７６とは、主制御基板７３が内部に収容された状態でケース上７１とケース下７２とを開放し難い状態を解除する操作が行われることによって、ケース上７１とケース下７２を開放可能となる。
【０１５２】
ここで、不正行為者が、上述した切断操作とは異なる切断操作によって、ケース上７１とケース下７２とを開放し難い状態を解除することが考えられる。すなわち、第１封止手段７５については、ケース上７１の第２被封止部７５ｂの切断箇所Ｓ３を切断するが、第２封止手段７６については、ケース上７１の第１被封止部７６ａを切断するなどして、ケース下７２を無傷で取り出すことが考えられる。また、別の基板収容ケース７４を用意して、上述の操作とは反対に、第１封止手段７５については、ケース下７２の第１被封止部７５ａを切断して、第２封止手段７６については、ケース下７２の第２被封止部７６ｂの切断箇所Ｓ４を切断するなどして、ケース上７１を無傷で取り出すことが考えられる。このような切断行為を低減するためには、例えば、第１封止手段７５については、ケース下７２の第１被封止部７５ａの前面側に沿って金属板を貼り付け、第２封止手段７６については、ケース上７１の第１被封止部７６ａの前面側に沿って金属板を貼り付けるなどして、不正行為者が切断箇所Ｓ３，Ｓ４とは異なる箇所を切断して無傷のケース上７１またはケース下７２を取り出そうとする場合に、当該異なる箇所を切断できないようにしてもよい。このようにすれば、ケース上７１とケース下７２との両方に確実に切断痕跡を残させることができる。
【０１５３】
また、主基板ケース７４は、後述する図１９に示すように、その側面箇所に、制御基板７３を挟み込んだケース上７１およびケース下７２を封止して当該主基板ケース７４を開封不可とするケース封止部１８０を備えている。ケース封止部１８０は、上述の組み付け状態において、ケース上７１の一部とケース下７２の一部とに組み付けられる封止カバー１８２と、主基板ケース７４の側面から挿入されてケース上とケース下７２と封止カバー１８２とをかしめるケースかしめピン１８４とを備えている。これにより、ケース封止部１８０を破壊しない限り、主基板ケース７４を開封することができない構造が実現されている。
【０１５４】
さらに、主基板ケース７４は、回動ベース１２０に取り付けられた主基板ケース７４を回動ベース１２０に対して取り外し不可とすることによって、主制御装置７０本体を封止する本体封止部１９０を備えている。本体封止部１９０は、主基板ケース７４の正面側の２箇所に設けられている。本体封止部１９０は、回動ベース１２０に主基板ケース７４が取り付けられることによって回動ベース１２０とケース上７１とケース下７２とに連通した状態となる封止孔１９２と、この封止孔１９２に挿入されて回動ベース１２０とケース上７１とケース下７２とをかしめる本体かしめピン１９４とを備えている。これにより、本体封止部１９０を破壊しない限り、主基板ケース７４を回動ベース１２０から取り外すことができない構造が実現されている。
【０１５５】
続いて、主基板ケース７４とコネクタかしめカバー１３０との係止状態について、上述した図９と、図１３〜図２２を用いて説明する。図１３は、主基板ケース７４とコネクタかしめカバー１３０との取付状態を説明するための図９の主制御装置７０のＡＡ断面の一部拡大図である。図１４は、図１３で示した取付状態を別の方向から説明するための図９の主制御装置７０のＢＢ断面の一部拡大図である。図１５は、主基板ケース７４とコネクタかしめカバー１３０との係止状態を説明するための図９の主制御装置７０のＣＣ断面図である。図１６は、図１３に示す係止状態のコネクタかしめカバー１３０を説明するための主制御装置７０の平面図と、その一部拡大図である。図１７は、図１３に示す係止状態のコネクタかしめカバー１３０を図１６とは異なる方向から説明するための図９の主制御装置７０のＤＤ断面図と、その一部拡大図である。図１８は、図１３に示す係止状態のコネクタかしめカバー１３０を図１６，１７とは異なる方向から説明するための図９の主制御装置７０のＥＥ断面図と、その一部拡大図である。図１９は、係止状態を形成する主制御装置７０の構成を説明するための主制御装置７０の分解斜視図である。図２０は、図１９の分解斜視図を異なる方向から説明する分解斜視図である。図２１（ａ）〜（ｆ）はコネクタかしめカバー１３０の六面図であり、（ａ）は正面図、（ｂ）は平面図、（Ｃ）は背面図、（ｄ）は右側面図、（ｅ）は左側面図、（ｆ）は底面図である。図２２（ａ）〜（ｆ）はコネクタかしめプレート１６０の六面図であり、（ａ）は正面図、（ｂ）は平面図、（Ｃ）は背面図、（ｄ）は右側面図、（ｅ）は左側面図、（ｆ）は底面図である。また、適宜、図３〜５も参照する。
【０１５６】
ここでは、主に、図９と上述した図５を参照しながら説明する。主制御装置７０は、主基板ケース７４の所定の領域に不正なアクセスを行い難い状態とするためのカバー部材を備えることを特徴とする。本実施例では、主基板ケース７４の所定の領域は、主制御基板７３と表示制御基板９４ｂとを繋ぐ配線としてのケーブル９５を主制御基板７３側に接続するためのコネクタ９５ａが接続される領域であり、カバー部材はこのコネクタ９５ａに対して不正にアクセスし難い状態とするものである。
【０１５７】
ここでは、図３，４に示すように、主基板ケース７４が回動ベース１２０に取り付けられており、主制御基板７３と表示制御基板９４ｂとが両端にコネクタ９５ａ，９５ｂを有するケーブル９５で接続されており、主制御基板７３からの出力信号がケーブル９５を介して表示制御基板９４ｂに送信され、ケーブル９５を介して受信した信号に基づいて、表示制御基板９４ｂが液晶ディスプレイ１５の表示内容、例えば上述した補助遊技状態における押し順報知などの制御を行うことができる状態となっている。
【０１５８】
この状態において、主基板ケース７４は、主基板ケース７４の所定の領域を覆うコネクタかしめカバー１３０と、コネクタかしめカバー１３０を主基板ケース７４に係止するためにコネクタかしめカバー１３０に挿入されているコネクタかしめプレート１６０と、を備えている。
【０１５９】
コネクタかしめカバー１３０は、図１９，図２０，図２１にも示すように、底のない長方形の箱のような形をしており、主基板ケース７４の所定の領域の内側と外側とを区分するカバー外壁部１３０ａと、該カバー外壁部１３０ａで囲まれた領域を人の手が触れないように覆う覆い部１３０ｃとを備えている。主基板ケース７４を取り付けた回動ベース１２０を起立姿勢とした状態で下を向く、ベースカバー外壁部１３０ａの下面には、ケーブル９５を通すことができる形に形成されている。
【０１６０】
コネクタかしめカバー１３０は、上述の所定の領域としてコネクタ９５ａが接続される領域を覆うように主基板ケース７４に取り付けられている。つまり、コネクタかしめカバー１３０は、主基板ケース７４と表示制御基板９４ｂとが正常に遊技の制御を行うことができるように接続された状態で、コネクタ９５ａが接続された領域を覆うように取り付けられている。コネクタかしめカバー１３０は、コネクタかしめプレート１６０が挿入されることによって、コネクタかしめカバー１３０を主基板ケース７４から容易に取り外すことができないようになっている。この状態で無理矢理にコネクタかしめカバー１３０を主基板ケース７４から取り外してしまうと、主基板ケース７４またはコネクタかしめカバー１３０が破損する。
【０１６１】
つまり、コネクタかしめカバー１３０が主基板ケース７４に取り付けられており、コネクタかしめプレート１６０がコネクタかしめカバー１３０に挿入されている状態において、コネクタかしめカバー１３０が主基板ケース７４から容易に取り外すことができなくなっており、コネクタかしめカバー１３０によって覆われたコネクタ９５ａは、不正にアクセスされ難くなっている。
【０１６２】
コネクタかしめプレート１６０がコネクタかしめカバー１３０を主基板ケース７４から容易に取り外すことができなくする構成の概要について、主に図１５を参照しながら説明する。
【０１６３】
コネクタかしめプレート１６０は、主基板ケース７４とコネクタかしめカバー１３０によって形成されているプレート挿入空間１５０に挿入されている。主基板ケース７４とコネクタかしめカバー１３０とは、プレート挿入空間１５０の一部をそれぞれ有している。具体的には、主基板ケース７４には、プレート挿入空間１５０の一部を構成するプレート挿入空間１４２が設けられており、コネクタかしめカバー１３０には、プレート挿入空間１５０の一部を構成するプレート挿入空間１３２が設けられている。コネクタかしめカバー１３０が主基板ケース７４に取り付けられると、プレート挿入空間１３２とプレート挿入空間１４２とが連なって、プレート挿入空間１５０が形成される。
【０１６４】
つまり、コネクタかしめカバー１３０を主基板ケース７４から容易に取り外すことができない状態は、コネクタかしめプレート１６０が、主基板ケース７４側のプレート挿入空間１４２とコネクタかしめカバー１３０側のプレート挿入空間１３２とに挿入されることによって形成されている。
【０１６５】
このように構成することで、コネクタかしめカバー１３０を主基板ケース７４から容易に取り外すことができない状態を不正に解除するためにプレート挿入空間１５０を形成する部材が破壊される場合に、主基板ケース７４側のプレート挿入空間１４２を構成する部材と、コネクタかしめカバー１３０側のプレート挿入空間１３２を構成する部材との双方が破壊され易くなる。これにより、仮に、主基板ケース７４とコネクタかしめカバー１３０との係止状態が不正に解除されたとしても、主基板ケース７４とコネクタかしめカバー１３０の両方に破壊痕跡が残ることになるので、破壊痕跡が多く残る分だけ不正行為を発見し易くなる。
【０１６６】
次に、主基板ケース７４とコネクタかしめプレート１６０との取付状態と、この取付状態からコネクタかしめカバー１３０と主基板ケース７４とを容易に取り外すことができなくする構成の詳細について説明する。
【０１６７】
ここでは、主基板ケース７４とコネクタかしめプレート１６０との取付状態について、主に図１３，図１４を参照しながら説明する。コネクタかしめカバー１３０は、コネクタ９５ａを接続する領域を覆うように主基板ケース７４に取り付けられた状態において、自由に取り外したり再び取り付けたりできる着脱可能な取付状態で取り付けられている。主基板ケース７４とコネクタかしめカバー１３０には、このような着脱可能な取付状態とするためのカバー取付機構１３１，１４１が設けられている。
【０１６８】
コネクタかしめカバー１３０側のカバー取付機構１３１は、主基板ケース７４と接触する縁部のうち主基板ケース７４の長手方向に沿った一方の縁部に鉤爪状部１３５ａ，１３５ｂを備えており、この他方の縁部に鉤爪状部１３５ｃ，１３５ｄ，１３５ｅを備えている。主基板ケース７４側のカバー取付機構１４２は、鉤爪状部１３５ａ〜１３５ｅに対応する位置に、鉤爪状部１３５ａ〜１３５ｅのスライド移動を規制するために鉤爪状部１３５ａ〜１３５ｅに係合するスライド規制部１４６ａ〜１４６ｅを備えている。また、カバー取付機構１４２は、鉤爪状部１３５ａ〜１３５ｅの先端が延びる方向とは逆方向に沿って、鉤爪状部１３５ａ〜１３５ｅのスライド移動を許容するスライド許容部１４６ａ〜１４６ｅを備えている。
【０１６９】
コネクタかしめカバー１３０は、スライド許容部１４６ａ〜１４６ｅに沿ってスライドさせて、主基板ケース７４に取り付けられている。この状態で、コネクタかしめカバー１３０は、主制御基板７３の実装面に対して直行する方向に離れる方向に引っ張られても、鉤爪状部１３５ａ〜１３５ｅとスライド規制部１４６ａ〜１４６ｅの係合によって、主基板ケース７４から外れないようになっている。主基板ケース７４に取り付けられたコネクタかしめカバー１３０は、取り付ける際のスライド方向とは逆方向にスライドさせて、主基板ケース７４から取り外すことができる状態となっている。
【０１７０】
次に、図１９，図２０を参照しながら、回動ベース１２０と主基板ケース７４との取付状態について説明する。
【０１７１】
コネクタかしめプレート１６０は、回動ベース１２０に主基板ケース７４を取り付けており且つ主基板ケース７４にコネクタかしめカバー１３０を取り付けている状態で、プレート挿入空間１５０に挿入されることによって、主基板ケース７４と回動ベース１２０とが互いに分離する方向へスライド移動することを規制することができる。
【０１７２】
具体的には、コネクタかしめカバー１３０は、カバー取付機構１３１として、スライド方向の先端側にも複数の鉤爪状部１３５ｆ，１３５ｇを備えている。主基板ケース７４は、カバー取付機構１４１として、複数の鉤爪状部１３５ｆ，１３５ｇに対向する位置に、スライド規制部１４６ｆ，１４６ｇとを備えている。回動ベース１２０は、図５に示すように、主基板ケース７４が取り付けられた状態で、スライド規制部１４６ｆ，１４６ｇに対向する位置に、スライド規制部１４６ｆ，１４６ｇに連通するスライド連通部１２１ａ、１２１ｂを備えている。スライド連通部１２１ａ、１２１ｂは、スライド規制部１４６ｆ，１４６ｇを貫いた鉤爪状部１３５ｆ，１３５ｇの先端が挿入される。この状態で、コネクタかしめプレート１６０がプレート挿入空間１５０に挿入されることによって、主基板ケース７４と回動ベース１２０とを分離する方向へのスライド移動が規制されている。
【０１７３】
このように構成することで、コネクタかしめプレート１６０がプレート挿入空間１５０に挿入されることによって、主基板ケース７４とコネクタかしめカバー１３０との分離だけでなく、主基板ケース７４と回動ベース１２０との分離も規制することができる。上述したように主基板ケース７４と回動ベース１２０との分離は、本体封止部１９０によって規制されているが、コネクタかしめプレート１６０によっても規制されている。
【０１７４】
上述のように主基板ケース７４とコネクタかしめカバー１３０は、着脱可能な取付状態とされているが、この状態でコネクタかしめカバー１３０のプレート挿入空間１５０にコネクタかしめプレート１６０が挿入されることによって、コネクタかしめプレート１６０がコネクタかしめカバー１３０を主基板ケース７４から容易に取り外すことができない状態となる。本明細書ではこのような状態を係止状態と呼ぶ。
【０１７５】
次に、上述した取付状態から係止状態とするための構成について、主に、図１５を参照しながら説明する。なお、適宜、図１９〜図２２も参照する。
【０１７６】
コネクタかしめプレート１６０は、係合する部材がそれぞれ異なる第１係合部１６１と第２係合部１６２を備えている。第１係合部１６１は、主基板ケース７４に設けられる第１被係合部１４３に係合している。第２係合部１６２は、コネクタかしめカバー１３０に設けられる第２被係合部１３３に係合している。主基板ケース７４とコネクタかしめカバー１３０との係止状態は、第１係合部１６１が第１被係合部１４３に係合し、第２係合部１６２が第２被係合部１３３に係合することによって形成される。
【０１７７】
このように第１係合部１６１と第２係合部１６２とをそれぞれ異なる部材に係合することによって係止状態が形成されるようにすることで、第１係合部１６１での係合を不正に解除しようとすると主基板ケース７４に破壊痕跡が残り、第２係合部１６２での係合を不正に解除しようとするとコネクタかしめカバー１３０に破壊痕跡が残る。したがって、主基板ケース７４を外部から見る限りでは、コネクタかしめカバー１３０とコネクタかしめプレート１６０とによって係止状態が形成されているように見えるが、実際には主基板ケース７４も係止状態を形成しているので、係止状態が解除されるとき、その解除のための破壊痕跡をコネクタかしめプレート１６０を除く複数の部材に亘って残させることができる。
【０１７８】
また、第１係合部１６１と第２係合部１６２は、材質は同じであるが、それぞれ形状が異なっている。また、これに合わせて、第２係合部１６２と第２被係合部１３３も、それぞれ形状が異なっている。
【０１７９】
第１係合部１６１は、コネクタかしめプレート１６０の挿入方向に沿って延びる一方の辺が途中で外側に屈曲しており、辺全体として見れば“く”の字状または“へ”の字状に屈曲した部位によって構成されている。第１係合部１６１は、この屈曲した部位が第１被係合部１４３に係合する形に形成されている。第１被係合部１４３は、主基板ケース７４のスライド許容部１４６ｂを形成する壁部からプレート挿入空間１４２に突出した部位によって構成されている。第１被係合部１４３は、この突出した部位が第１係合部１６１に係合する形に形成されている。
【０１８０】
第２係合部１６２は、コネクタかしめプレート１６０の挿入方向に沿って延びる他方の辺が途中で後側に折り返されて延ばされており、辺全体として見れば“レ”の字状の部位の先端に設けられている。第２係合部１６２は、この“レ”の字状の部位の先端が第２被係合部１３３に係合する形に形成されている。第２被係合部１３３は、コネクタかしめカバー１３０のプレート挿入空間１３２を構成する壁部（後述するカバー外壁部１３０ｅ２）の内側からプレート挿入空間１３２に突出した部位によって構成されている。第２被係合部１３３は、この突出した部位が第２係合部１６２に係合する形に形成されている。
【０１８１】
第１係合部１６１の“く”の字状または “へ”の字状に屈曲した部位が第１被係合部１４３のプレート挿入空間１４２に突出した部位に引っかかっており、第２係合部１６２の“レ”の字状の部位の先端が第２被係合部１３３のプレート挿入空間１３２に突出した部位に引っかかっているので、コネクタかしめプレート１６０をプレート挿入空間１５０から容易に抜き出すことができない。
【０１８２】
このように第１係合部１６１と第２係合部１６２との形状を異ならせることで、主基板ケース７４とコネクタかしめカバー１３０との係止状態において、第１係合部１６１と第１被係合部１４３との係合を不正に解除する際に採った方法と異なる方法を採らなければ、第２係合部１６２と第２被係合部１３３との係合を不正に解除し難くすることで、ことで、主基板ケース７４を不正行為に強くすることができる。
【０１８３】
また、上述した第１係合部１６１と第２係合部１６２との形状の違いは、第１係合部１６１と第２係合部１６２との配置の違いとして表現することもできる。すなわち、第１係合部１６１と第２係合部１６２はコネクタかしめプレート１６０の挿入方向に沿って中心線を引いた場合に、この中心線に対して左右非対称な位置に設けられている。なお、図１５では、挿入方向と中心線を一点鎖線の矢印で示している。
【０１８４】
第１係合部１６１は、この中心線に対して挿入方向に向かって右側で且つ挿入方向に沿って延びる一方の辺の真ん中よりもやや先側に設けられている。言い換えると、第１係合部１６１は、係止状態において、ケース上７１の表面のうちコネクタかしめカバー１３０が設けられていない非カバー面７１ｃよりも主制御基板７３側に窪んだ位置に設けられている。なお、非カバー面７１ｃは、ケース上７１の表面のうち最も平坦な面であり、基準面と呼んでもよい。第１被係合部１４３は、第１係合部１６１よりも挿入方向に向かって後側に設けられているが、第１係合部１６１との係合箇所が非カバー面７１ｃよりも主制御基板７３側に窪んだ位置に設けられている。
【０１８５】
第２係合部１６２は、中心線に対して挿入方向に向かって左側で且つ挿入方向に沿って延びる他方の辺の真ん中よりもやや後側に設けられている。言い換えると、第２係合部１６２は、係止状態において、非カバー面７１ｃから主基板ケース７４の収容空間の外側に離れた位置に設けられている。第２被係合部１３３は、第２係合部１６２よりも挿入方向に向かって後側に設けられており、第２係合部１６２よりも非カバー面７１ｃから主基板ケース７４の収容空間の外側に離れた位置に設けられている。
【０１８６】
主基板ケース７４とコネクタかしめカバー１３０との係止状態は、この中心線に対して左右非対称となる位置で、第１係合部１６１が第１被係合部１４３に係合し、第２係合部１６２が第２被係合部１３３に係合することによって形成されている。このように構成することで、コネクタかしめプレート１６０の挿入方向に沿って同じ位置で作業を行えなくなる分だけ、第１係合部１６１と第１被係合部１４３との係合の解除と、第２係合部１６２と第２被係合部１３３との係合の解除とに時間を掛けさせることで、主基板ケース７４を不正行為に強くすることができる。
【０１８７】
また、上述した第１係合部１６１と第２係合部１６２との形状の違いは、弾性構造の違いとして表現することもできる。すなわち、第１係合部１６１は、所定の弾性構造を有し、第２係合部１６２は、第１係合部１６１の弾性構造とは異なる弾性構造を有している。
【０１８８】
第１係合部１６１の弾性構造は、コネクタかしめプレート１６０の挿入方向に沿って延びる屈曲部を有する一方の辺と、この辺に沿って延びる長細い形状を有する孔との間に位置する縁部分によって構成されている。つまり、第１係合部１６１の弾性構造では、この縁部分が弾性変形されるが、この縁部分の両端がコネクタかしめプレート１６０に固定されているので、人が軽く押した程度では弾性変形し難い弾性構造を有している。
【０１８９】
第２係合部１６２の弾性構造は、第１係合部１６１の弾性構造と材質は同じであるが、コネクタかしめプレート１６０の挿入方向に沿って延びる他方の辺が途中で折り返されて後方に延ばされたような形状の折返し部によって構成されている。この折返し部は、人が軽く押した程度で弾性変形するような弾性変形し易い弾性構造を有している。すなわち、第１係合部１６１の弾性構造は、少なくとも、第２係合部１６２の弾性構造が第２係合部１６２の弾性力に抗して弾性変形され始める際の力では、第１係合部１６１の弾性力に抗して弾性変形され難い弾性構造であると言える。
【０１９０】
このように第１係合部１６１の弾性構造と第２係合部１６２の弾性構造とをそれぞれ異ならせることで、第２係合部１６２の弾性構造が第２係合部１６２の弾性力に抗して弾性変形され始める際の力では、第１係合部１６１の弾性構造をその弾性力に抗して変形され難くすることができる。これにより、係止状態を不正に解除しようとする際に、第２係合部１６２を不正に弾性変形させて第２係合部１６２での係合を解除できる状態とすることができても、同じ大きさの力では第１係合部１６１を弾性変形させて第１係合部１６１での係合を解除し難くなる。したがって、第１係合部１６１での係合と第２係合部１６２での係合とを同時に解除させて、コネクタかしめプレート１６０をプレート挿入空間１５０から抜き出すような不正行為が行い難くなるので、主基板ケース７４を不正行為に強くすることができる。
【０１９１】
また、コネクタかしめプレート１６０は、第２係合部１６２が第２被係合部１３３に係合するよりも先に、第１係合部１６１の方が第１被係合部１４３に係合するように形成されている。すなわち、コネクタかしめプレート１６０は、弾性変形し難い第１被係合部１６１の方が弾性変形し易い第２係合部１６２よりも先に係合するように形成されている。
【０１９２】
主基板ケース７４側の第１被係合部１４３は、プレート挿入空間１４２において、第１係合部１６１に押し当てられて、第１係合部１６１の弾性構造をその弾性力に抗して弾性変形させて、該弾性変形した弾性構造をその弾性力によって元の形へ復元させる第１押し当て部１４４を有する。コネクタかしめカバー１３０側の第２被係合部１３３は、プレート挿入空間１３２において、第２係合部１６２に押し当てられて、第２係合部１６２の弾性構造をその弾性力に抗して弾性変形させて、該弾性変形した弾性構造をその弾性力によって元の形へ復元させる第２押し当て部１３４を有する。
【０１９３】
第１押し当て部１４４は、第２押し当て部１３４よりも、コネクタかしめプレート１６０の挿入方向に沿った長さが短くなるように形成されている。そのため、第１係合部１６１が第１押し当て部１４４に押し当てられる状態と、第２係合部１６２が第２押し当て部１３４に押し当てられる状態とが同時に発生しても、第１係合部１６１の方が第２係合部１６２よりも先に押し当て状態を脱して、第１係合部に係合する状態となる。
【０１９４】
このように構成することで、コネクタかしめプレート１６０をプレート挿入空間１５０に挿入していくと、まず、第１被係合部１４３側の第１押し当て部１４４で弾性変形した第１係合部１６１の弾性構造が元の形へ復元することによって第１被係合部１４３に係合する。次に、第２被係合部１３３側の第２押し当て部１３４で弾性変形した第２係合部１６２の弾性構造が元の形へ復元することによって第２被係合部１３３に係合する。つまり、軟らかい方の第２係合部１６２の弾性構造が弾性変形している間に堅い方の第１係合部１６１の弾性構造を押し込んで元の形へ復元させる方が、軟らかい方の第２係合部１６２が第２被係合部１３３に係合された後に堅い方の第１係合部１６１の弾性構造を押し込んで元の形へ復元させるよりも、第１係合部１６１を第１被係合部１４３に係合させる作業がし易い。したがって、弾性構造が異なる場合であっても、上述の係止状態を形成する作業をし易くすることができる。
【０１９５】
続いて、主基板ケース７４とコネクタかしめカバー１３０とコネクタかしめプレート１６０との係止状態を解除するために必要な構成について、主に、図１６〜図１８を用いて説明する。なお、適宜、図１９〜図２２も参照する。
【０１９６】
図１６，図２１に示すように、コネクタかしめカバー１３０のカバー外壁部１３０ａは、主基板ケース７４を起立姿勢とした状態で、上側に位置するカバー外壁部１３０ｄと、右側に位置するカバー外壁部１３０ｅと、下側に位置するカバー外壁部１３０ｆと、左側に位置するカバー外壁部１３０ｇとで構成されている。プレート挿入空間１３２は、カバー外壁部１３０ｄの右端部と、カバー外壁部１３０ｅの上部と、カバー外壁部１３０ｆの右端部と、覆い部１３０ｃからコネクタかしめプレート１６０の挿入方向に沿って突出されており且つカバー外壁部１３０ｅの上半分に対向するように設けられているカバー内壁部１３０ｊとによって構成されている。
【０１９７】
図１７に示すように、カバー外壁部１３０ｅは、挿入空間１５０の開口縁からカバー外壁部１３０ｅの縁部にかけて延びており且つ所定幅を有するカバー間隙１３０ｈが形成されている。言い換えれば、カバー間隙１３０ｈは、挿入空間１５０を形成するカバー外壁部１３０ｅに形成されている。カバー間隙１３０ｈが形成される長さをＬ１とする。カバー外壁部１３０ｅは、カバー隙間１３０ｈを挟んで、下側のカバー外壁部１３０ｅ１と上側のカバー外壁部１３０ｅ２とに分かれている。カバー外壁部１３０ｅは、プレート挿入空間１５０の開口縁から上述の長さＬ１のおよそ中間位置まで、カバー外壁部１３０ｅ１の上端とカバー外壁部１３０ｅ２の下端とに跨がってカバー間隙１３０ｈを覆うようにカバー外壁部１３０ｅの外側に膨出する第１膨出部１３６を備えている。第１膨出部１３６が形成される長さをＬ２とする。
【０１９８】
図１８に示すように、カバー外壁部１３０ｄは、挿入空間１５０の開口縁のやや外側に離れた位置からカバー外壁部１３０ｄの縁部にかけて延びており且つ所定幅を有するカバー間隙１３０ｉが形成されている。カバー間隙１３０ｉが形成される長さをＬ３とする。カバー外壁部１３０ｅは、カバー隙間１３０ｉを挟んで、右側のカバー外壁部１３０ｄ１と左側のカバー外壁部１３０ｄ２とに分かれている。カバー外壁部１３０ｄ１は、プレート挿入空間１５０を形成している壁部である。言い換えれば、カバー間隙１３０ｉは、プレート挿入空間１５０を形成するカバー外壁部１３０ｄ１に接する箇所に形成されている。カバー外壁部１３０ｄは、挿入空間１５０の開口縁から上述の長さＬ３よりもやや短い位置まで、カバー外壁部１３０ｄ１の左端とカバー外壁部１３０ｄ２の右端とに跨がってカバー間隙１３０ｉを覆うようにカバー外壁部１３０ｄの外側に膨出する第２膨出部１３７を備えている。第２膨出部１３７が形成される長さをＬ４とする。また、第２膨出部１３７は、図１７に示すように、カバー間隙１３０ｉの前側と上側を覆うように、覆い部１３０ｃとカバー外壁部１３０ｄとに沿って屈曲している。
【０１９９】
図１７，図２１に示すように、カバー内壁部１３０ｊは、挿入空間形成壁１３０ｂに、挿入空間１５０の開口縁からカバー内壁部１３０ｊの縁部にかけて延びており且つ所定幅を有するカバー間隙１３０ｋが形成されている。言い換えれば、カバー間隙１３０ｋは、プレート挿入空間１５０を形成するカバー内壁部１３０ｊに形成されている。カバー間隙１３０ｋが形成される長さは、上述した第１膨出部１３６が形成される長さＬ２と同じである。カバー内壁部１３０ｊは、カバー隙間１３０ｋを挟んで、下側のカバー内壁部１３０ｊ１と上側のカバー内壁部１３０ｊ２とに分かれている。
【０２００】
図１６に示すように、覆い部１３０ｃには、カバー間隙１３０ｉとカバー間隙１３０ｋとを繋ぐカバー隙間１３０ｌが設けられている。カバー間隙１３０ｉ，１３０ｋ，１３０ｌは、プレート挿入空間１５０を介してカバー間隙１３０ｈとも繋がっている。つまり、カバー間隙１３０ｈ，１３０ｉ，１３０ｋ，１３０ｌとプレート挿入空間１５０とは一つの間隙を構成している。また、カバー外壁部１３０ｄ１，１３０ｅ１，１３０ｆ，１３０ｇ，覆い部１３０ｃと、カバー外壁部１３０ｄ２，１３０ｅ２とは、カバー間隙１３０ｈ，１３０ｉ，１３０ｊ，１３０ｋとプレート挿入空間１５０とを挟んで隔てられているが、第１膨出部１３６と第２膨出部１３７とによって繋ぎ合わされている。言い換えれば、カバー外壁部１３０ｄ２，１３０ｅ２は、第１膨出部１３６と第２膨出部１３７との間に位置している。
【０２０１】
カバー外壁部１３０ｅ２の内面側には、図１５も参照すると、第２被係合部１３３が設けられている。また、第１膨出部１３６は、その膨らみによって形成される空間にコネクタかしめプレート１６０から突出されるカシメ突出部１６５が挿入されている。カシメ突出部１６５は、第１膨出部１３６の長さＬ２とほぼ同じ長さを有する。
【０２０２】
図１９，図２０にも示すように、主基板ケース７４は、コネクタ９５ａが接続される領域を、ケース上７１の非カバー面７１ｃよりもケース下７２側に窪んだ位置に設けている。コネクタ９５ａが接続される領域は、コネクタ９５ａの上側に位置するケース外壁部１４７ｃと、コネクタ９５ａの右側に位置するケース外壁部１４７ｄと、コネクタ９５ａの下側に位置するケース外壁部１４７ｅと、コネクタ９５ａの左側に位置するケース外壁部１４７ｆとで構成されている。ケース外壁部１４７ｄは、さらにその外側に位置するケース外壁部１４７ｇとともに、プレート挿入空間１４７を形成している。
【０２０３】
ケース外壁部１４７ｇには、その壁面から外側に向けて突出するケース突出部１４７ｂが形成されている。ケース突出部１４７ｂは、第１膨出部１３６の後端からコネクタ９５ａが接続される領域の平坦面まで延びている。ケース突出部１４７ｂが形成される長さをＬ５とする。ケース突出部１４７ｂは、図１７に示すように、上述のカバー隙間１３０ｈに沿って第１膨出部１３６と上下に並んだ位置に配置されている。ケース突出部１４７ｂは、第１膨出部１３６に挿入されたカシメ突出部１６５と同じ方向に突出している。ケース突出部１４７ｂは、図１８に示すように、コネクタかしめカバー１３０を上面側から見ると、第１膨出部１３６よりも外側への突出量が短くなるように形成されている。ケース突出部１４７ｂは、図１６に示すように、起立状態の主基板ケース７４を正面から見るとき、第１膨出部１３６とカシメ突出部１６５の背後に隠れるように位置している。そのため、図３に示すように、スロットマシン１０の前面扉１２を開放したときに、第１膨出部１３６や第２膨出部１３７のようなコネクタかしめカバー１３０側の部位と、カシメ突出部１６５のようなコネクタかしめプレート１６０側の部位とを視認することができるが、主基板ケース７４側のケース突出部１４７ｂを視認し難くすることができる。
【０２０４】
次に、図１６〜図１８を参照して係止状態を解除する作業について説明する。
【０２０５】
図１６において二点鎖線で示した切断箇所Ｓ１に沿って第１膨出部１３６を切断するとともに、図１７において二点鎖線で示した切断箇所Ｓ２に沿って第２膨出部１３７を切断すると、カバー外壁部１３０ｄ１，１３０ｅ１，１３０ｆ，１３０ｇ，覆い部１３０ｃと、カバー外壁部１３０ｄ２，１３０ｅ２との繋ぎ目が切断されることになる。そのため、カバー隙間１３０ｈ，１３０ｉ，１３０ｋ，１３０ｌとプレート挿入空間１５０とを挟んで、カバー外壁部１３０ｄ２，１３０ｅ２がカバー外壁部１３０ｄ１，１３０ｅ１，１３０ｆ，１３０ｇ，覆い部１３０ｃから分離される。
【０２０６】
また、カバー外壁部１３０ｄ２，１３０ｅ２がコネクタかしめカバー１３０から分離されると、コネクタかしめプレート１６０の第２係合部１６２に係合している第２被係合部１３３も、カバー外壁部１３０ｄ２，１３０ｅ２とともにコネクタかしめカバー１３０から分離されることになる。第２係合部１６２での係合が解除されると、コネクタかしめプレート１６０は、挿入空間１５０をカバー内壁部１３０ｊに沿って自由に動かすことができるようになる。このように第２係合部１６２での係合が解除されると、コネクタかしめプレート１６０の第１係合部１６１と主基板ケース７４の第１被係合部１４３との係合を解除しなくても、主基板ケース７４とコネクタかしめカバー１３０とコネクタかしめプレート１６０との係止状態が解除される。
【０２０７】
また、第１膨出部１３６を切断すると、コネクタかしめカバー１３０が切断されるだけでなく、カシメ突出部１６５も切断されることによって、図１６に示す切断箇所Ｓ１に沿って、コネクタかしめカバー１３０とコネクタかしめプレート１６０との双方に切断の際に生じる破壊痕跡が残る。具体的には、コネクタかしめカバー１３０の第１膨出部１３６とコネクタかしめプレート１６０のカシメ突出部１６５とは、遊技機正面視で上下方向・左右方向に重なっており、主基板ケース７４とコネクタかしめカバー１３０との着脱不能な状態を解除するために、切断箇所Ｓ１に沿って破壊される。そのため、１度の破壊で、コネクタかしめカバー１３０とコネクタかしめプレート１６０との両方に破壊痕跡が残る。これにより、コネクタかしめカバー１３０を破壊してでもコネクタかしめプレート１６０を無傷で取り出することを難しくすることができる。また、コネクタかしめカバー１３０とコネクタかしめプレート１６０との両方に破壊痕跡が残るので、このような不正行為を発見し易くなる。
【０２０８】
また、第１膨出部１３６を切断すると、コネクタかしめカバー１３０とコネクタかしめプレート１６０の一部が切断されるだけでなく、図１８に示す切断箇所Ｓ１のように、第１膨出部１３６と並んだ位置に配置されているケース突出部１４７ｂのうち第１膨出部１３６に隣接する箇所（主基板ケース７４のケース突出部１４７ｂ）が破壊される場合がある。もちろん、主基板ケース７４の形状をよく知る作業者が注意深く第１膨出部１３６のみを切断すれば、ケース突出部１４７ｂを破壊せずに第１膨出部１３６のみを破壊することが可能な場合もあるが、上述のように、ケース突出部１４７ｂは、起立状態の主基板ケース７４を正面から見るとき、第１膨出部１３６とカシメ突出部１６５の背後に隠されるように位置しているので、第１膨出部１３６を切断するときに、図１８に示す切断箇所Ｓ１のように、知らずにケース突出部１４７ｂまで破壊してしまう可能性がある。これにより、コネクタかしめカバー１３０とコネクタかしめプレート１６０だけでなく主基板ケース７４にも、切断箇所Ｓ１，切断箇所Ｓ２に沿って、第１膨出部１３６，第２膨出部１３７を切断する際に生じる破壊痕跡を残すことができる可能性がある。したがって、破壊痕跡が多く残る分だけ不正行為を発見し易くなる。また、係止状態を不正に解除した後で、無傷の主基板ケース７４を再利用した不正な基板ケースを作ることも難しくすることができる。
【０２０９】
なお、上述の主制御基板７３は、本発明の制御基板に相当し、主基板ケース７４は、本発明の基板収容ケースに相当する。上述のケース上７１は、本発明の第２ケース部品に相当し、上述のケース下７２は、本発明の第１ケース部品に相当する。上述の第１封止手段７５は、本発明の第１封止手段に相当し、第２封止手段７６は、第２封止手段に相当する。上述の第１被封止部７５ａ，７６ａは、本発明の第１被封止部に相当し、第２被封止部７５ｂ，７６ｂは、第２被封止部に相当する。上述の封止用ピン７９は、本発明の封止部材に相当する。上述の被破壊部７８Ａと被破壊部７８Ｂは、本発明の被破壊部に相当する。
【０２１０】
また、上述の取付台１００と固定部材１１０と回動ベース１２０とベース保持体１２５は、ケース取付部材に相当する。上述のコネクタ９５ａが接続される領域は、所定の領域に相当し、コネクタかしめカバー１３０は、カバー部材に相当する。上述のカバー取付機構１３１は、第１取付手段及びカバー取付部に相当する。上述のコネクタかしめプレート１６０は、第２取付手段及び係止部材に相当する。また、上述のプレート挿入空間１５０は、挿入空間に相当する。また、上述の第１係合部１６１は、第１取付部及び第１係合部に相当し、第２係合部１６２は、第２取付部及び第２係合部に相当する。上述の第１被係合部１４３は、第１被係合部に相当し、第２被係合部１３３は、第２被係合部に相当する。
【０２１１】
また、上述の第１押し当て部１４４と第２押し当て部１３４は、弾性変形用部位に相当する。また、上述の鉤爪状部１３５ａ〜１３５ｇは、鉤爪状部に相当する。上述のスライド許容部１４５ａ，１４５ｂは、スライド許容部に相当し、スライド規制部１４６ａ〜１４６ｇは、スライド規制部に相当する。上述のスライドレンツ産１２１ａ，１２１ｂは、スライド連通部を備える。また、上述のカバー外壁部１３０ａ（１３０ｄ〜１３０ｇ）は、カバー外壁部に相当し、覆い部１３０ｃは、覆い部に相当する。上述のカバー間隙１３０ｈ，１３０ｉ，１３０ｋは、間隙に相当する。上述の第１膨出部１３６と第２膨出部１３７は、膨出部に相当する。また、上述のカシメ突出部１６５は、カシメ突出部に相当する。第１膨出部１３６とカシメ突出部１６５は、第１被破壊部位に相当する。上述のコネクタかしめカバー１３０とコネクタかしめプレート１６０とに切断箇所Ｓ１，Ｓ２に沿って生じる破壊痕跡は、破壊痕跡に相当する。また、上述のケース外壁部１４７は、ケース外壁部に相当する。上述のケース突出部１４７ｂは、ケース突出部と第２被破壊部位に相当する。
【０２１２】
上述したように、本実施例のスロットマシン１０によれば、遊技に関する制御を行う電子部品が搭載された主制御基板７３を内部に収容する主基板ケース７４を備えた遊技機において、主基板ケース７４は、主制御基板７３を内部に収容するケース下７２及びケース上７１と、主制御基板７３が内部に収容された状態でケース下７２とケース上７１とを開放し難い状態とする封止手段７５，７６と、を備え、封止手段７５，７６は、主制御基板７３が内部に収容された状態でのケース下７２とケース上７１との所定箇所に形成される複数対の被封止部７５ａ，７５ｂ及び７６ａ，７６ｂと、複数対の被封止部７５ａ，７５ｂ及び７６ａ，７６ｂに挿入されることによってケース下７２とケース上７１とを開放し難い状態とする封止用ピン７９と、を備え、複数対の被封止部７５ａ，７５ｂ及び７６ａ，７６ｂはそれぞれ、第１被封止部７５ａ，７６ａと、ケース下７２とケース上７１とを開放し難い状態を解除するために第１被封止部７５ａ，７６ａよりも破壊され易いように形成される被破壊部７８Ａを有する第２被封止部７５ｂ，７６ｂとで構成されており、封止手段７５，７６は、少なくとも、第１被封止部７５ａがケース下７２に設けられ且つ第２被封止部７５ｂがケース上７１に設けられる第１封止手段７５と、第１被封止部７６ａがケース上７１に設けられ且つ第２被封止部７６ｂがケース下７２に設けられる第２封止手段７６とを有し、第１被封止部７５ａ，７６ａと第２被封止部７５ｂ，７６ｂとが互いに重ね合わされた状態で、第１封止手段７５での被破壊部７８Ａと第２封止手段７６での被破壊部７８Ｂとが同じ方向に面している。
【０２１３】
このような構成によれば、第１封止手段７５は、第１被封止部７５ａがケース下７２に設けられ且つ第２被封止部７５ｂがケース上７１に設けられており、第２封止手段７６は、第１被封止部７６ａがケース上７１に設けられ且つ第２被封止部７６ｂがケース下７２に設けられており、第１被封止部７５ａ，７６ａと第２被封止部７５ｂ，７６ｂに封止用ピン７９が挿入されることによって、第１封止手段７５と第２封止手段７６は、制御基板が内部に収容された状態でケース上７１とケース下７２とを開放し難い状態となる。ケース上７１とケース下７２とを開放し難い状態は、被破壊部７８Ａ，７８Ｂを破壊することによって解除される。被破壊部７８Ａ，７８Ｂは、第２被封止部７５ｂ，７６ｂに設けられているが、第２被封止部７５ｂ，７６ｂは、第１封止手段７５ではケース上７１に設けられており、第２封止手段７６では、ケース下７２に設けられている。そのため、封止手段によって作られたケース上７１とケース下７２とを開放し難い状態を解除しようとして被破壊部７８Ａ，７８Ｂが破壊されると、ケース上７１にもケース下７２にも破壊痕跡が残る。第１封止手段７５での被破壊部７８Ａと第２封止手段７６での被破壊部７８Ｂとが同じ方向に面しているので、被破壊部７８Ａ，７８Ｂがケース上７１とケース下７２とに分けて設けられていることが目立ちにくくなっている。
【０２１４】
これにより、主基板ケース７４からケース下７２とケース上７１とを無傷の状態で得ることが困難になる。よって、２個の主基板ケース７４を用意して、一方の主基板ケース７４から無傷のケース下７２を取り出し且つ他方の主基板ケース７４から無傷のケース上７１を取りだそうとしても、それぞれの主基板ケース７４からケース下７２とケース上７１とを無傷の状態で得ることが困難なので、２個の主基板ケース７４から１個の新品同様の主基板ケース７４が作り出されることに起因する不正行為も困難になる。その結果、主基板ケース７４に対する不正行為を低減できる遊技機を提供することができる。なお、このような構成は上述の（１）記載の遊技機の一例でもある。
【０２１５】
また、第１被封止部７５ａ，７６ａと第２被封止部７５ｂ，７６ｂとが重ね合わされた状態で、被破壊部７８Ａ，７８Ｂが面する方向と同じ方向から見ると、第１封止手段７５での第２被封止部７５ｂと第２封止手段７６での第２被封止部７６ｂとが同一または類似する形状である。このような構成によれば、被破壊部７８Ａ，７８Ｂが面する方向と同じ方向から見ると、第１封止手段７５での第２被封止部７５ｂと第２封止手段７６での第２被封止部７６ｂとの形状に違いが無いかまたは形状に違いがあっても僅かなので、第１封止手段７５での被破壊部７８Ａと第２封止手段７６での被破壊部７８Ｂとが遊技機正面視で同じ方向に面することと相まって、被破壊部７８Ａ，７８Ｂがケース上７１とケース下７２とに分けて設けられていることに気付かせにくくすることができる。なお、このような構成は上述の（２）記載の遊技機の一例でもある。
【０２１６】
また、第１被封止部７５ａ，７６ａと第２被封止部７５ｂ，７６ｂとが重ね合わされた状態で、被破壊部７８Ａ，７８Ｂが面する方向と同じ方向から見ると、第１封止手段７５での被破壊部７８Ａの背後に位置する第１被封止部７５ａと、第２封止手段７６での被破壊部７８Ｂの背後に位置する第１被封止部７６ａとが、同一または類似する形状である。このような構成によれば、被破壊部７８Ａ，７８Ｂが面する方向と同じ方向から見ると、第１封止手段７５での被破壊部７８Ａの背後に位置する第１被封止部７５ａと、第２封止手段７６での被破壊部７８Ｂの背後に位置する第１被封止部７６ａとで形状に違いが無いかまたは形状に違いがあっても僅かなので、第１被封止部７５ａ，７６ａの違いから、被破壊部７８Ａ，７８Ｂがケース上７１とケース下７２とに分けて設けられていることに気付かれることを低減できる。なお、このような構成は上述の（３）記載の遊技機の一例でもある。
【０２１７】
上述したように、本実施例１のスロットマシン１０によれば、主基板ケース７４が所定の部位に取り付けられて、その主基板ケース７４の内部の主制御基板７３が遊技に関する制御を行うことが可能になった状態で、主基板ケース７４のコネクタ９５ａが接続される領域を覆うコネクタかしめカバー１３０が、カバー取付機構１４１による着脱可能な状態での取り付けと、コネクタかしめプレート１６０による着脱不能な状態での取り付けとを経て、この発明に係るスロットマシン１０が出荷される。これにより、カバー取付機構１４１による着脱可能な状態では、コネクタかしめカバー１３０の取り付けの調整作業が可能であるが、コネクタかしめプレート１６０による着脱不能な状態では、主基板ケース７４のコネクタ９５ａが接続される領域からコネクタかしめカバー１３０を取り外し難くなる。つまり、出荷後のスロットマシン１０は、主基板ケース７４のコネクタ９５ａが接続される領域に対する不正なアクセスを行い難い状態となる。したがって、主基板ケース７４が正常に取り付けた状態でコネクタ９５ａが接続される領域を介して行われる不正行為を行い難くすることができるスロットマシン１０を提供することができる。
【０２１８】
ここで、「着脱不能な状態」とは、通常の力では取り外しできない状態であり、無理矢理に取り外そうとすれば、取り付けられている各部材のいずれか一方または両方が破損してしまう状態を意味する。
【０２１９】
また、コネクタかしめプレート１６０による着脱不能な状態は、第２係合部１６２よりもスロットマシン１０正面から視認し難い状態となる第１係合部１６１と、第１係合部１６１よりもスロットマシン１０正面から視認し易い状態となる第２係合部１６２とで形成されている。これにより、主基板ケース７４を不正行為に強くすることができる。すなわち、不正行為者は、第２手段によって着脱不能な状態な状態とされたコネクタかしめカバー１３０を取り外そうとするとき、スロットマシン１０正面から視認し易い位置に配設されている第１係合部１６１での取付状態を解除しようとする。しかし、第１係合部１６１での取付状態を解除できても第２係合部１６２での取付状態を解除しなければ、コネクタかしめカバー１３０を主基板ケース７４から取り外すことができない。このとき、第２係合部１６２はスロットマシン１０正面から視認し難い位置に配設されているので、不正行為者は第２係合部１６２の存在に容易に気付き難い。そのため、不正行為を成し遂げるまでに時間がかかってしまうので、主基板ケース７４を不正行為に強くすることができる。
【０２２０】
「第２係合部１６２よりもスロットマシン１０正面から視認し難い状態」及び「第１係合部１６１よりもスロットマシン１０正面から視認し易い状態」は、第１係合部１６１及び第２係合部１６２が配設される位置の違いや、第１係合部１６１及び第２係合部１６２の形状の違いや、第１係合部１６１及び第２係合部１６２の大きさの違いなどによって生じる状態である。
【０２２１】
また、第１係合部１６１と第２係合部１６２とは、主基板ケース７４における所定の平坦面（例えば非カバー面７１ｃ）を基準として、前後に分かれて配設されている。第１係合部１６１は、主基板ケース７４における所定の平坦面（例えば非カバー面７１ｃ）よりも後側、すなわち、主基板ケース７４における所定の平坦面（例えば非カバー面７１ｃ）よりも主制御基板７３に近づいた位置に配設されているが、第２係合部１６２は、主基板ケース７４における所定の平坦面（例えば非カバー面７１ｃ）よりも前側、すなわち、主基板ケース７４における所定の平坦面（例えば非カバー面７１ｃ）よりも主制御基板７３から遠ざかった位置に配設されるので、スロットマシン１０正面から視認され易い。したがって、第２係合部１６２よりも第１係合部１６１をスロットマシン１０正面から視認し難くすることができる。
【０２２２】
また、第２係合部１６２がカバー取付機構１４１を構成する主基板ケース７４側の部位の背後に隠れているため、スロットマシン１０正面から見るときに、第２係合部１６２材を発見し辛くすることができる。
【０２２３】
また、主基板ケース７４とカバー取付機構１４１とコネクタかしめプレート１６０のうち少なくとも主基板ケース７４とコネクタかしめプレート１６０とは、無色か同色か同系色のいずれかで共通の透過性を有する樹脂であるので、コネクタかしめプレート１６０によって形成されている着脱不能な状態をどのように解除すればよいか気付かせ難くすることができる。なお、主基板ケース７４とカバー取付機構１４１とコネクタかしめプレート１６０の全てを無色か同色か同系色のいずれかの透過性を有する樹脂としても構わない。
【０２２４】
また、カバー取付機構１４１によって着脱可能な状態で取り付けられた主基板ケース７４とコネクタかしめカバー１３０とをコネクタかしめプレート１６０で係止すれば、主基板ケース７４とコネクタかしめカバー１３０とが着脱不能な係止状態となるので、係止状態を形成する作業が簡易化する。
【０２２５】
また、主基板ケース７４とコネクタかしめカバー１３０とを着脱可能な取付状態とすることによって、主基板ケース７４に設けられるプレート挿入空間１４２とコネクタかしめカバー１３０に設けられるプレート挿入空間１３２とで、コネクタかしめプレート１６０が挿入されるプレート挿入空間１５０が形成される。このプレート挿入空間１５０にコネクタかしめプレート１６０を挿入することによって、主基板ケース７４とコネクタかしめカバー１３０とを着脱不能とする係止状態が形成される。これにより、プレート挿入空間１５０にコネクタかしめプレート１６０が挿入された係止状態において、この係止状態を不正に解除するためにプレート挿入空間１５０を形成する部材が破壊される場合、このプレート挿入空間１５０の一部を有する主基板ケース７４とコネクタかしめカバー１３０との両方が破壊され易くなる。主基板ケース７４とコネクタかしめカバー１３０との両方が破壊されると、仮に、係止状態が不正に解除されたとしても、主基板ケース７４とコネクタかしめカバー１３０の両方に破壊痕跡が残る。したがって、破壊痕跡が多く残る分だけ不正行為を発見し易くなる。また、係止状態が不正に解除された後の主基板ケース７４とコネクタかしめカバー１３０とを再利用した不正な主基板ケース７４を無傷で作ることを難しくすることができる。
【０２２６】
また、上述の係止状態が形成される際に、コネクタかしめプレート１６０の第１係合部１６１と第２係合部１６２材が係合する相手がそれぞれ主基板ケース７４の第１被係合部１４３とコネクタかしめカバー１３０の第２被係合部１３３とに異なっている。これにより、上述の係止状態において、第１係合部１６１と第１被係合部１４３との係合を不正に解除しようとすると主基板ケース７４に破壊痕跡が残り、第２係合部１６２と第２被係合部１３３との係合を不正に解除しようとするとコネクタかしめカバー１３０に破壊痕跡が残る。したがって、破壊痕跡が多く残る分だけ不正行為を発見し易くなる。また、上述の係止状態が不正に解除された後の主基板ケース７４とコネクタかしめカバー１３０とを再利用した不正な主基板ケース７４を無傷で作ることを難しくすることができる。
【０２２７】
また、第１係合部１６１と第１被係合部１４３との係合の形と、第２係合部１６２と第２被係合部１３３との係合の形とがそれぞれ異なっている。これにより、上述の係止状態において、第１係合部１６１と第１被係合部１４３との係合を不正に解除する際に採った方法と異なる方法を採らなければ、第２係合部１６２と第２被係合部１３３との係合を不正に解除し難くすることができる。したがって、第１係合部１６１と第１被係合部１４３との係合の解除と、第２係合部１６２と第２被係合部１３３との係合の解除とに時間を掛けさせることで、主基板ケース７４を不正行為に強くすることができる。
【０２２８】
また、コネクタかしめプレート１６０の挿入方向に沿って引かれた中心線に対して左右非対称となる位置で、この第１係合部１６１が第１被係合部１４３に係合し、この第２係合部１６２が第２被係合部１３３に係合することによって係止状態が形成される。これにより、係止状態において、第１係合部１６１と第１被係合部１４３との係合を不正に解除する作業を行う位置と、第２係合部１６２と第２被係合部１３３との係合を不正に解除する作業を行う位置とは、コネクタかしめプレート１６０の挿入方向に沿って異なる位置となる。したがって、コネクタかしめプレート１６０の挿入方向に沿って同じ位置で作業を行えなくなる分だけ、第１係合部１６１と第１被係合部１４３との係合の解除と、第２係合部１６２と第２被係合部１３３との係合の解除とに時間を掛けさせることで、主基板ケース７４を不正行為に強くすることができる。
【０２２９】
また、第１係合部１６１の弾性構造と第２係合部１６２の弾性構造とはそれぞれ異なり、第２係合部１６２の弾性構造が第２係合部１６２の弾性力に抗して弾性変形され始める際の力では、第１係合部１６１の弾性構造をその弾性力に抗して変形され難い。これにより、係止状態を不正に解除しようとする際に、第２係合部１６２をその弾性力に抗して弾性変形させることができたとしても、同じ大きさの力では第１係合部１６１をその弾性力に抗して弾性変形させ難い。したがって、第１係合部１６１と第２係合部１６２とを同時に弾性変形させて不正に係止状態を解除しようとするような不正行為が行い難くなるので、主基板ケース７４を不正行為に強くすることができる。
【０２３０】
また、コネクタかしめプレート１６０をプレート挿入空間１５０に挿入していくと、まず、第１被係合部１４３側の第１押し当て部１４４で弾性変形した第１係合部１６１の弾性構造が元の形へ復元することによって第１被係合部１４３に係合する。次に、第２被係合部１３３側の第２押し当て部１３４で弾性変形した第２係合部１６２の弾性構造が元の形へ復元することによって第２被係合部１３３に係合する。つまり、軟らかい方の第２係合部１６２の弾性構造が弾性変形している間に堅い方の第１係合部１６１の弾性構造を押し込んで元の形へ復元させる方が、軟らかい方の第２係合部１６２が第２被係合部１３３に係合された後に堅い方の第１係合部１６１の弾性構造を押し込んで元の形へ復元させるよりも、第１係合部１６１を第１被係合部１４３に係合させる作業がし易い。したがって、弾性構造が異なる場合であっても、上述の係止状態を形成する作業をし易くすることができる。
【０２３１】
また、回動ベース１２０に主基板ケース７４が取り付けられ且つその主基板ケース７４にコネクタかしめカバー１３０が取り付けられた状態で、コネクタかしめプレート１６０がプレート挿入空間１５０に挿入されることによって、主基板ケース７４とコネクタかしめカバー１３０との分離だけでなく、主基板ケース７４と回動ベース１２０との分離も規制される。反対に、係止状態を解除すれば、主基板ケース７４とコネクタかしめカバー１３０との分離規制だけでなく、主基板ケース７４と回動ベース１２０との分離規制も解除される。これによって、主基板ケース７４とコネクタかしめカバー１３０との分離規制や分離規制の解除と、主基板ケース７４と回動ベース１２０との分離規制や分離規制の解除とを一つの作業によって行うことができる。したがって、これらの作業効率を向上させることができる。
【０２３２】
また、係止状態を解除するためには、カバー外壁部１３０ａのプレート挿入空間形成壁１３０ｂに設けられる第１膨出部１３６と、カバー外壁部１３０ａの異なる位置に設けられる第２膨出部１３７とを切断して、その間に位置するプレート挿入空間形成壁の一部（カバー外壁部１３０ｄ２，１３０ｅ２）をカバー外壁部１３０ａから分離する必要がある。第１膨出部１３６と第２膨出部１３７とを切断すると、コネクタかしめカバー１３０が切断されるだけでなく、第１膨出部１３６の膨らみによって形成される第１膨出空間１３６ａに挿入されているカシメ突出部１６５も切断されることによって、コネクタかしめカバー１３０に切断の際に生じる破壊痕跡１３８が残り、コネクタかしめプレート１６０にも切断の際に生じる破壊痕跡１６６が残る。これにより、コネクタかしめカバー１３０を破壊してでもコネクタかしめプレート１６０を無傷で取り出そうとするような不正行為を行い難くなるので、主基板ケース７４を不正行為に強くすることができる。
【０２３３】
また、カバー外壁部１３０ａのプレート挿入空間形成壁（カバー外壁部１３０ｄ）またはこのプレート挿入空間形成壁（カバー外壁部１３０ｅ２）に接する箇所に設けられる第１膨出部１３６，第２膨出部１３７を切断すると、挿入空間１５０の開口縁からカバー外壁部１３０ａの縁部にかけて延びており且つ所定幅を有するカバー間隙１３０ｈ，１３０ｉに沿って、この第１膨出部１３６，第２膨出部１３７の間に位置するプレート挿入空間形成壁（カバー外壁部１３０ｄ２，１３０ｅ２）がカバー外壁部１３０ａから分離される。これによって、係止状態が解除される。また、第１膨出部１３６，第２膨出部１３７を切断すると、コネクタかしめカバー１３０が切断されるだけでなく、第１膨出部１３６の膨らみによって形成される空間に突出されているカシメ突出部１６５も切断されることによって、コネクタかしめカバー１３０とコネクタかしめプレート１６０との双方に切断の際に生じる破壊痕跡が残る。これにより、コネクタかしめカバー１３０を破壊してでもコネクタかしめプレート１６０を無傷で取り出そうとするような不正行為を行い難くなるので、主基板ケース７４を不正行為に強くすることができる。
【０２３４】
また、カシメ突出部１６５が挿入された第１膨出部１３６を切断すると、コネクタかしめカバー１３０とコネクタかしめプレート１６０の一部が切断されるだけでなく、上述のカバー隙間１３０ｈに沿って第１膨出部１３６と並んだ位置に配置されており、ケース外壁部１４７ｇからカシメ突出部１６５と同じ方向に突出しているケース突出部１４７ｂの少なくとも一部も破壊される。これにより、コネクタかしめカバー１３０とコネクタかしめプレート１６０だけでなく主基板ケース７４にも、第１膨出部１３６，第２膨出部１３７を切断する際に生じる破壊痕跡を残すことができる。したがって、破壊痕跡が多く残る分だけ不正行為を発見し易くなる。また、係止状態が不正に解除された後の収容ケース７４とコネクタかしめカバー１３０とを再利用した不正な基板ケースを無傷で作ることを難しくすることができる。
【実施例２】
【０２３５】
上述した実施例１では、第１封止手段７５を構成する第１被封止部７５ａと第２被封止部７５ｂと、第２封止手段７６を構成する第１被封止部７６ａと第２被封止部７６ｂとは、遊技機前方に露出されているが、これらの一部を遮蔽する構成を備えてもよい。このような構成について図２３を用いて説明する。図２３は、実施例２に係る主基板ケース７４に備えられる遮蔽部７７Ａを説明する図である。
【０２３６】
基板収容ケース７４は、第１被封止部７５ａ，７６ａと第２被封止部７５ｂ，７６ｂとが重ね合わされた状態で、被破壊部７８Ａ，７８Ｂが面する方向と同じ方向から見ると、第１封止手段７５と第２封止手段７６との前方に位置しており、第１封止手段７５及び第２封止手段７６と基板収容ケース７４との境界を隠す遮蔽部７７Ａが設けられている。具体的には、遮蔽部７７Ａは、ケース上７１の上側面に、主制御基板７３の部品搭載面側の側辺に沿って上方に突出した板状に形成されている。遮蔽部７７Ａの高さは、第１封止手段７５と第２封止手段７６の高さの３分の１程度である。遮蔽部７７Ａは、透明で無い樹脂で形成されるなどによって、背後が透けにくくなっている。
【０２３７】
第１封止手段７５と基板収容ケース７４との境界では、第２被封止部７５ｂはケース上７１に設けられるために、第２被封止部７５ｂとケース上７１との間には隙間が生じないが、第１被封止部７５ａがケース下７２に設けられるために、第１被封止部７５ａとケース上７１との間にごく僅かな隙間が生じたり、隙間が生じないとしても第１被封止部７５ａとケース上７１との境界が分かり易い状態となったりする。図２３では、第１封止手段７５の第１被封止部７５ａとケース上７１との間に隙間が生じていないが、第１被封止部７５ａとケース上７１とが別部品であるために、第１被封止部７５ａとケース上７１との境界が変わり易い状態となっている。
【０２３８】
第２封止手段７６と基板収容ケース７４との境界では、第１被封止部７６ａがケース上７１に設けられるために、第１被封止部７６ａとケース上７１との間には隙間が生じないが、屈曲部７６ｆを設けた分の隙間が生じる。また、第２被封止部７６ｂがケース下７２に設けられるために、第２被封止部７６ｂとケース上７１との間にわずかな隙間が生じたり、隙間が生じないとしても第２被封止部７６ｂとケース上７１との境界が分かりやすい状態となったりする。図２３では、第２封止手段７６の第２被封止部７６ｂとケース上７１との間に隙間は生じていないが、第２被封止部７６ｂとケース上７１とが別部品であるために、第２被封止部７６ｂとケース上７１との境界が分かり易い状態となっている。
【０２３９】
このように、第１封止手段７５と第２封止手段７６との前側に遮蔽部７７Ａを設けることによって、第１被封止部７７及び第２被封止部７８と基板収容ケース７４との境界箇所での第１封止手段７５と第２封止手段７６との違いから、被破壊部７８Ａ，７８Ｂがケース上７１とケース下７２とに分けて設けられていることに気付かれることを低減することができる。なお、このような構成は上述の（４）記載の遊技機の一例でもある。
【実施例３】
【０２４０】
上述した実施例１，２では、１つの主基板ケース７４に対して、第１封止手段７５と第２封止手段７６とが設けられる構成を挙げて説明したが、封止手段の数は２つ以上でも構わない。また、主基板ケース７４は、第１封止手段７５が配される位置と、第２封止手段７６が配される位置とを、遊技機の機種に応じて変更しても構わない。このような構成について図２４〜図２６を用いて説明する。図２４は、実施例３の機種Ａに係る主基板ケース７４を説明する図である。図２５は、実施例３の機種Ｂに係る主基板ケース７４を説明する図である。図２６は、（ａ）（ｂ）（ｃ）が実施例３の機種Ｃに係る３通りの主基板ケース７４を説明する図である。
【０２４１】
機種Ａ，Ｂに係る主基板ケース７４は、３つの第１封止手段７５と、１つの第２封止手段７６とを備える。各第１封止手段７５と第２被封止手段７６は、実施例１と同様に構成されており、各第１封止手段７５は被破壊部７８Ａを備え，第２被封止手段７６は被破壊部７８Ｂを備えている。
【０２４２】
このように構成すれば、上述した実施例１に比べて封止手段の数が増えた分だけ、被破壊部７８Ａ，７８Ｂが第１ケース部品と第２ケース部品とに分けて設けられていることに気付かれることを低減することができる。
【０２４３】
機種Ａに係る基板収容ケース７４は、図２４に示すように、第１封止手段７５が基板収容ケースの上側面の右側と下側面の左右両端とに配されており、第２封止手段７６が基板ケース７４の上側面の左端に配されている。機種Ｂに係る基板ケース７４は、図２５に示すように、第１封止手段７５が基板ケース７４の上側面の左右両端と下側面の右端とに配されており、第２封止手段７６が基板ケース７４の下側面の左端に配されている。なお、固定ベース１２０は、主基板ケース７４の下側面が露出されるようになっているので、第１封止手段７５や第２封止手段７６を主基板ケース７４の下側面に設けることが可能となっている。
【０２４４】
このような構成によれば、基板収容ケース７４において第１封止手段７５が配される位置と、第２封止手段７６が配される位置とが同じ位置としている場合に比べて、被破壊部７８Ａ，７８Ｂがケース上７１とケース下７２とに分けて設けられていることに気付かせにくくすることができる。なお、このような構成は上述の（６）記載の遊技機の一例でもある。
【０２４５】
機種Ｃに係る基板収容ケース７４は、第１封止手段７５が配される位置と、第２封止手段７６が配される位置とを、同じ機種Ｃに備えられる基板収容ケース７４同士で変更している。すなわち、機種Ｃに係る基板収容ケース７４は、図２６（ａ）に示すように、第１封止手段７５が基板収容ケースの上側面の右側と下側面の左右両端とに配されており、第２封止手段７６が基板ケース７４の上側面の左端に配されているものと、図２６（ｂ）に示すように、第１封止手段７５が基板ケース７４の上側面の左右両端と下側面の右端とに配されており、第２封止手段７６が基板ケース７４の下側面の左端に配されているものとがある。
【０２４６】
このような構成によれば、第１封止手段７５と第２封止手段７６の位置が機種ごとに共通している構成よりも、被破壊部７８Ａ，７８Ｂがケース上７１と  ケース下７２とに分けて設けられていることに気付かせにくくすることができる。なお、このような構成は上述の（７）記載の遊技機の一例でもある。
【０２４７】
また、機種Ｃでは、図２６（ｃ）に示すように、４つの封止手段を全て第１封止手段７５とする基板収容ケース７４もある。このように構成すれば、同じ機種Ｃでも全て第１封止手段７５を有する基板収容ケース７４が混ざる分だけ、被破壊部７８Ａ，７８Ｂがケース上７１とケース下７２とに分けて設けられていることに気付かせにくくすることができる。
【実施例４】
【０２４８】
上述した実施例１〜３では、本発明の第１封止手段と第２封止手段の一例を示したが、第１封止手段と第２封止手段とは、第１封止手段７５，第２封止手段７６と異なる構造であっても構わない。異なる構造の第１封止手段７５，第２封止手段７６について、図２７，図２８を用いて説明する。図２７は、実施例４に係る回動ベース１２０に支持された状態の主制御装置７０の正面図である。図２８は、（ａ）が実施例４に係る第１封止手段７５を説明する図であり、（ｂ）が実施例４に係る第２封止手段７６を説明する図である。なお、図２８は、回動１２０から取り外された状態の図２７の基板収容ケース７４を右側面から見た図である。
【０２４９】
本実施例の基板収容ケース７４の構造について説明する。第１封止手段７５を構成する第２被封止部７５ａは、ケース上７１の一部であり、ケース上７１の上側面から上方に延出する延出部７５ｆの先端に封止用ピン７９が挿入される第１枡状部材７５ｇが設けられている。延出部７５ｆは、一点鎖線で示した破壊箇所Ｓ３を有する被破壊部７８Ａでもある。第１封止手段７５を構成する第１被封止部７５ａは、ケース下７２の一部であり、ケース下７２の上側面から上方に延出する延出部７５ｋの先端に第１枡状部材７５ｇと重ね合わされた状態で封止用ピン７９の先端が係止される第１箱状部材７５ｃが設けられている。
【０２５０】
他方、第２封止手段７６を構成する第１被封止部７６ａは、ケース上７１の一部であるが、ケース上７１の上側面からケース下７２に向かって折り返された状態で延出する屈曲延出部７６ｍを備え、屈曲延出部７６ｍの先端に第２箱状部材７６ｃが設けられている。第２封止手段７６を構成する第２被封止部７６ｂは、ケース下７２の一部であるが、ケース下７２の上側面からケース上７１に向かって折り返された状態で延出する屈曲延出部７６ｎを備え、屈曲延出部７６ｎの先端に第２枡状部材７６ｉが設けられている。第２枡状部材７６ｉと第２箱状部材７６ｃとが重ね合わされた状態で、封止用ピン７９が第２枡状部材７６ｉの前方から挿入されて、その先端が第２箱状部材７６ｃに係止される。ケース上７１の一部である屈曲延出部７６ｍと、ケース下７２の一部である屈曲延出部７６ｎとがケース上７１とケース下７２との上側面で交差している。屈曲延出部７６ｎは、一点鎖線で示した破壊箇所Ｓ４を有する被破壊部７８Ｂでもある。
【０２５１】
第１封止手段７５，第２封止手段７６がケース上７１、ケース下７２を開封し難い状態に封止された後に、被破壊部７８Ａ，７８Ｂが切断されることによって、ケース上７１、ケース下７２は、開封される。
【０２５２】
ここで、第１封止手段７５と第２封止手段７６との前方には、遮蔽部７７Ａが設けられている。そのため、第２封止手段７６において屈曲延出部７６ｍと屈曲延出部７６ｎとが交差している状態は、遊技機前方から視認し難いようになっている。
【０２５３】
第１封止手段７５を構成する第１被封止部７５ａには視覚によって違いを認識できる第１の特徴が施されており、第１封止手段７５を構成する第２被封止部７５ｂには視覚によって違いを認識できる第２の特徴が施されている。第２封止手段７６を構成する第１被封止部７６ａにも、上述の第１の特徴が施されており、第２封止手段７６を構成する第２被封止部７６ｂにも、上述の第２の特徴が施されている。
【０２５４】
第１封止手段７５を構成する第１被封止部７５ａに施される、視覚によって違いを認識できる第１の特徴は、例えば、この第１被封止部７５ａに付される色彩である。第１封止手段７５を構成する第２被封止部７５ｂに施される視覚によって違いを認識できる第２の特徴は、例えば、上述の第１被封止部７５ａに付される色彩とは異なる色彩である。ここでは、第１封止手段７５を構成する第１被封止部７５ａには、赤色が着色されており、第１封止手段７５を構成する第２被封止部７５ｂには、白色が着色されているとする。第２封止手段７６を構成する第１被封止部７６ａにも、赤色が着色されており、第２封止手段７６を構成する第２被封止部７６ｂにも、白色が着色されている。なお、白色の代わりに、無色透明（例えば基板収容ケース７４と同じ素材）としてもよい。
【０２５５】
このような構成によれば、第１封止手段７５を構成する第１被封止部７５ａには赤色が施されており、第１封止手段７５を構成する第２被封止部７５ｂには白色が施されているので、第１被封止部７５ａに赤色が施され、第２被封止部７５ｂに白色が施されている一対の被封止部を共通の封止手段であると認識させることが可能となる。そのため、第２封止手段７６を構成する第１被封止部７７ａにも赤色が施されており、第２封止手段７６を構成する第２被封止部７６ｂにも白色が施されているので、これを見る者は、第２封止手段７６を構成する白色が施された第２被封止部７６ｂが第１封止手段７５と同様にケース上７１の一部であると誤解し易くなり、第２封止手段７６を構成する赤色が施された第１被封止部７６ａが第１封止手段７５と同様にケース下７２の一部であるであると誤解し易くなる。これにより、主基板ケース７４を不正に開封しようとする者は、第１封止手段７５と第２封止手段７６とで第１被封止部７５ａ，７６ａを形成する部材と第２被封止部７５ｂ，７６ｂを形成する部材とが入れ替わっていることに気が付きにくくなり、被破壊部７８Ａ，７９Ｂが第１ケース部品と第２ケース部品とに分けて設けられていることに気付かせにくくすることができる。なお、このような構成は上述の（５）記載の遊技機の一例でもある。
【０２５６】
この発明は、上記実施形態に限られることはなく、同様の効果を奏する別の構成としてもよく、例えば下記のように変形実施することができる。
【０２５７】
＜１＞上述した実施例では、主基板ケース７４が第１封止手段７５，第２封止手段７６を備えるが、主基板ケース７４以外の基板収容ケースとしてサブ基板用の基板収容ケースなどに第１封止手段７５，第２封止手段７６を備えても構わない。また、主基板ケース７４は、電源スイッチ８１，リセットスイッチ８２などが設けられる面を遊技機正面に向けた状態で取り付けられた状態で本体１１の内面に取り付けられているが、主基板ケース７４は異なる向きで取り付けられても構わない。
【０２５８】
＜２＞上述した実施例では、第１封止手段７５と第２封止手段７６との構成の一例を示したが、上述した（１）〜（７）に記載の遊技機と同様の作用効果を奏する構造であれば、第１封止手段７５と第２封止手段７６とは異なる構造であっても構わない。例えば、実施例４では、第１封止手段７５，第２封止手段７６の一部に色彩を付していたが、実施例１〜実施例３のように色彩を付さない構造としてもよい。
【０２５９】
＜３＞上述した実施例では、第１取付手段に相当する構成として、基板ケース７４とコネクタかしめカバー１３０とに形成されるカバー取付機構１４１を上げて説明しているが、第１取付手段に相当する構成が、基板ケース７４とコネクタかしめカバー１３０のいずれか一方に形成されている例であってもよい。例えば、第１取付手段に相当する構成として基板ケース７４にねじ孔が設けられ、第２取付手段または取付部材に相当するワンウェイネジをねじ孔に締結することによって、着脱可能な状態が形成され、ワンウェイネジのネジ頭をつぶすことによって、着脱不能な状態が形成されるような例である。このような例は、ワンウェイネジとネジ孔以外であっても同様の作用効果を奏する構成であればよい。なお、ワンウェイネジのネジ頭と基板ケース７４におけるネジ頭と重なる部位とは、第１被破壊部位に相当する。
【０２６０】
＜４＞上述した実施例では、第２取付手段に相当する構成として、コネクタかしめプレート１６０とを上げて説明しているが、上述したように第２取付手段に相当する構成がコネクタかしめプレート１６０以外の例であってもよい。
【０２６１】
＜５＞上述した実施例では、係止部材に相当する構成として第１係合部１６１及び第２係合部１６２を備えるコネクタかしめプレート１６０を例に上げて説明したが、係止部材に相当する構成は、同様の作用効果を奏する構成であれば、コネクタかしめプレート１６０とはその形状や配置や弾性構造が異なる係止部材であってもよい。
【０２６２】
＜６＞上述した実施例では、カバー取付部に相当する構成として、スライド許容部１４５ａ，１４５ｂとスライド規制部１４６ａ〜１４６ｇとを備える主基板ケース７４と、鉤爪状部１３５ａから１３５ｇを備えるコネクタかしめカバー１３０とで構成されるカバー取付機構１４１を例に上げて説明しているが、異なる構成であってもよい。例えば、カバー取付部に相当する構成は、コネクタかしめカバー１３０側に設けられる係止用突片と、主基板ケース７４側に設けられる凹入部とを備え、コネクタかしめカバー１３０を軽く撓ませることによって係止用突片が凹入部に係止されるが、主基板ケース７４に取り付けられたコネクタかしめカバー１３０を再び撓ませることによって、係止用突片が凹入部から取り外すことができるような構成である。
【０２６３】
＜７＞上述した実施例では、ケース突出部１４７ｂは、第１膨出部１３６の後端からコネクタ９５ａが接続される領域の平坦面まで延びているが、ケース突出部１４７ｂは、これより長くてもよい。図２９は、図１８の一部拡大図をさらに拡大した図であって、変形例１に係る主基板ケース７４のケース突出部１４７ｂを説明する。この変形例１では、第１膨出部１３６の長さは、実施例の第１膨出部１３６の長さと同じＬ２であるが、ケース突出部１４７ｂは、第１膨出部１３６の後端よりも前寄りの位置（ケース上７１の非カバー面７１ｃよりも少し手前側に出た位置）からコネクタ９５ａが接続される領域の平坦面まで延びている。実施例のケース突出部１４７ｂの長さＬ５よりも長く形成されている。変形例１のケース突出部１４７ｂが形成される長さをＬ６と呼ぶ。つまり、変形例１のケース突出部１４７ｂは、その上端が第１膨出部１３６の中にまで入っている。そのため、第１膨出部１３６が、二点鎖線で示す切断箇所Ｓ３に沿って第１膨出部１３６の後端までしか切断されないような場合であっても、第１膨出部１３６の中に入っているケース突出部１４７ｂを確実に破壊させて、主基板ケース７４（ケース上７１）にも破壊痕跡を残すことができる。
【０２６４】
＜８＞また、ケース突出部１４７ｂではく第１膨出部１３６を実施例と異ならせてもよい。図３０は、図１８の一部拡大図をさらに拡大した図であって、変形例２に係るコネクタかしめカバー１３０の第１膨出部１３６を説明する。この変形例２では、ケース突出部１４７ｂは、実施例のケース突出部１４７ｂと同じ長さＬ５に（ケース突出部１４７ｂの前端がケース上７１の非カバー面７１ｃよりも少し奥まった位置に位置するように）形成されているが、変形例２の第１膨出部１３６の長さを実施例の第１膨出部１３６の長さＬ２よりも長い長さＬ７に形成している。変形例２の第１膨出部１３６は、その下端付近がケース突出部１４７ｂの上端付近に覆いかぶさるように形成されている。これにより、変形例２の第１膨出部１３６を切断する際に、切断箇所Ｓ３に沿って第１膨出部１３６ａの後端までしか切断されないような場合であっても、確実にケース突出部１４７ｂの上端付近も破壊させることができる。しかも、ケース突出部１４７ｂの上端がケース上７１の非カバー面７１ｃよりも奥まった位置に設けられているので、主基板ケース７４を組み付ける際などに、ケース突出部１４７ｂに他の部材が接触して、誤ってケース突出部１４７ｂが破損してしまうことを低減することができる。
【０２６５】
＜９＞上述の実施例のコネクタかしめカバー１３０の替わりに、主基板ケース７４の所定の領域のうちコネクタ９５ａが接続される領域以外の領域を覆う部材を備えてもよい。例えば、主基板ケース７４の正面に設けられる封止部材１６０が取り付けられる領域を覆う封止部材カバーを備えてもよい。封止部材１６０は、主基板ケース７４の正面に設けられるため、前面扉１２を開放したときにアクセスし易く、不正行為が行われやすい。しかし、封止部材カバーが封止部材が取り付けられる領域を覆うことによって、封止部材１６０に対してアクセスし難くすることができるとともに、封止部材１６０に対する不正行為を行い難くすることができる。
【０２６６】
＜１０＞上述の実施例のコネクタかしめカバー１３０は、主制御装置７０を構成する主基板ケース７４側のコネクタ９５ａが接続される領域を覆っていたが、サブ制御装置９４を構成する表示制御基板９４ｂを収納するサブ基板ケース９４ａ側のコネクタ９５ｂが接続される領域を覆ってもよい。これにより、表示制御基板９４ｂに接続されるコネクタ９５ｂが不正に取り外されて、ぶら下げ基板が取り付けられるような不正行為を防ぐことができる。
【０２６７】
＜１１＞上述の実施例のコネクタかしめカバー１３０は、コネクタが接続される領域を覆っていたが、コネクタが接続される領域以外の領域で、出荷後に不正にアクセスされなくない領域を覆っても構わない。例えば、主制御装置７０からサブ制御装置９４に送信される信号を伝送するケーブルが配線される領域を覆っても構わない。この主のケーブルが配線される領域が主基板ケース７４やサブ基板ケース９３ａである場合に、本実施例と同様の構成でケーブル間にぶら下げ基板が取り付けられるような不正行為を防ぐことができる。
【０２６８】
＜１２＞上述の実施例のコネクタかしめカバー１３０は、主基板ケース７４のコネクタ９５ａが接続される領域を覆うものであったが、コネクタかしめカバー１３０は、主基板ケース７４の他のコネクタが接続される領域を覆うものであっても構わない。また、上述の変形例４は、サブ基板ケース９４ａのコネクタ９５ｂが接続される領域を覆うものであったが、サブ基板ケース９４ａの他のコネクタが接続される領域を覆うものであっても構わない。
【０２６９】
＜１３＞上述の実施例では、第１係合部１６１の弾性構造と第２係合部１６２の弾性構造とは、同じ材質で異なる弾性構造であったが、異なる材質で同じ弾性構造であってもよい。例えば、２箇所の係合部がともに第２係合部１６２のような弾性構造であるが、一方の弾性構造が所定の固さの樹脂で形成されており、他方の弾性構造がそれより撓み難い固さの樹脂で形成されている場合である。なお、一方の弾性構造が樹脂で、他方の弾性構造が例えば金属などのような異なる素材であってもよい。これらのような構成でも、実施例と同様の作用効果を奏する。
【０２７０】
＜１４＞上述の実施例では、カバー部材は、スロットマシン１０の主基板ケース７４に備えられているが、パチンコ機の基板ケースに備えられてもよい。例えば、基板ケースがパチンコ遊技に関する主たる制御を実行する主制御装置を構成する主基板ケースである場合、カバー部材が覆う所定の領域は、作動口への入賞を検出するセンサからの信号を主制御基板に送るケーブルのコネクタが接続される領域である。もちろん、基板ケースは、主制御装置以外の制御装置、例えば、表示装置における識別情報の表示やこれに伴う演出の制御を行うサブ制御装置のサブ制御基板を収容するサブ基板ケースであっても構わない。この場合、主制御装置の主制御基板とサブ制御装置のサブ制御基板とを繋ぐケーブルの一端側のコネクタがサブ制御基板に接続される領域をカバー部材が覆うように構成される。
【０２７１】
＜１５＞カバー部材は、スロットマシンとパチンコ機とを融合した遊技機の基板ケースに備えられてもよい。この種の遊技機では、メダルを投入する替わりに、受け皿に貯留される遊技球が投入装置に取り込まれ、メダルが払い出される替わりに、遊技球が払い出される。ただし、液晶ディスプレイ１５のような識別情報変動表示手段を備え、スタートレバー５２のような始動用操作手段の操作に起因して識別情報の動的表示が開始され、ストップボタン５３，５４，５５のような停止用操作手段の操作に起因して、あるいは、所定時間経過することにより、識別情報の動的表示が停止され、その停止時の確定識別情報が特定識別情報であることを必要条件として、遊技者に有利な特別遊技状態を発生させる主制御装置７０のような特別遊技状態発生手段とを備える。また、この種の遊技機でも、特別遊技状態中に上述した補助遊技状態が発生する場合等があり、実施例１と同様の不正行為に対して、コネクタかしめカバーを備える構成を適用することができる。
【０２７２】
＜１６＞上述の発明を実施すための形態、実施例及び変形実施例に記載された発明は、各々相反するものでない限り、適宜変更や置換や削除や組み合わせなどした構成とすることも可能である。
【産業上の利用可能性】
【０２７３】
以上のように、この発明は、パチンコ機やスロットマシンやパチンコ機とスロットマシンとを融合した遊技機等の遊技機に適している。
【符号の説明】
【０２７４】
１０・・・スロットマシン（遊技機）
７１・・・ケース上（第２ケース部品）
７２・・・ケース下（第１ケース部品）
７３・・・主制御基板（制御基板），
７４・・・基板ケース（基板収容ケース）
７５・・・第１封止手段（第１封止手段）
７６・・・第２封止手段（第１封止手段）
７５ａ，７６ａ・・・第１被封止部（第１被封止部）
７５ｂ，７６ｂ・・・第２被封止部（第１被封止部）
７８Ａ・・・被破壊部（被破壊部）
７８Ｂ・・・被破壊部（被破壊部）
７９・・・封止用ピン（封止部材）
【図１】
2020121176.tif 000003
【図２】
2020121176.tif 000004
【図３】
2020121176.tif 000005
【図４】
2020121176.tif 000006
【図５】
2020121176.tif 000007
【図６】
2020121176.tif 000008
【図７】
2020121176.tif 000009
【図８】
2020121176.tif 000010
【図９】
2020121176.tif 000011
【図１０】
2020121176.tif 000012
【図１１】
2020121176.tif 000013
【図１２】
2020121176.tif 000014
【図１３】
2020121176.tif 000015
【図１４】
2020121176.tif 000016
【図１５】
2020121176.tif 000017
【図１６】
2020121176.tif 000018
【図１７】
2020121176.tif 000019
【図１８】
2020121176.tif 000020
【図１９】
2020121176.tif 000021
【図２０】
2020121176.tif 000022
【図２１】
2020121176.tif 000023
【図２２】
2020121176.tif 000024
【図２３】
2020121176.tif 000025
【図２４】
2020121176.tif 000026
【図２５】
2020121176.tif 000027
【図２６】
2020121176.tif 000028
【図２７】
2020121176.tif 000029
【図２８】
2020121176.tif 000030
【図２９】
2020121176.tif 000031
【図３０】
2020121176.tif 000032
【手続補正書】
【提出日】令和2年6月29日(2020.6.29)
【手続補正１】
【補正対象書類名】特許請求の範囲
【補正対象項目名】請求項１
【補正方法】変更
【補正の内容】
【請求項１】
遊技に関する制御を行う電子部品が搭載された部品搭載面を有する制御基板を内部に収容する基板収容ケースを備えた遊技機において、
前記基板収容ケースは、
前記制御基板を内部に収容する第１ケース体及び第２ケース体からなるケース本体と、
前記ケース本体の外側面に設けられ、前記制御基板が内部に収容された状態で前記第１ケース体と前記第２ケース体とを開放し難い状態とする第１封止手段および第２封止手段と、を備え、
前記第１封止手段は、
前記第１ケース体の所定箇所に設けられた第１被封止部と、
前記第２ケース体の所定箇所に設けられた前記第１被封止部よりも破壊されやすいように形成される被破壊部を有する第２被封止部と、
前記第１被封止部と前記第２被封止部とが前記部品搭載面に沿う特定方向から重ねられた状態の第１組付体に挿入されることによって前記第１ケース体と前記第２ケース体とを解放し難い状態とする第１封止部材とを有し、
前記第２封止手段は、
前記第２ケース体の所定箇所に設けられた第３被封止部と、
前記第１ケース体の所定箇所に設けられた前記第３被封止部よりも破壊されやすいように形成される被破壊部を有する第４被封止部と、
前記第３被封止部と前記第４被封止部とが前記特定方向から重ねられた状態の第２組付体に挿入されることによって前記第１ケース体と前記第２ケース体とを解放し難い状態とする第２封止部材とを有し、
前記第２ケース体側から前記基板収容ケースを見たとき、前記第１組付体を構成する前記第１被封止部は、前記第２被封止部の奥側に位置し、前記第２組付体を構成する前記第３被封止部は、前記第４被封止部の奥側に位置し、前記被破壊部の各々が矩形状の前記基板収容ケースの前記特定方向に延びた一辺側に設けられている
ことを特徴とする遊技機。
【手続補正２】
【補正対象書類名】明細書
【補正対象項目名】０００６
【補正方法】変更
【補正の内容】
【０００６】
この発明は、このような目的を達成するために、次のような構成をとる。
すなわち、請求項１に記載の発明は、遊技に関する制御を行う電子部品が搭載された部品搭載面を有する制御基板を内部に収容する基板収容ケースを備えた遊技機において、
前記基板収容ケースは、
前記制御基板を内部に収容する第１ケース体及び第２ケース体からなるケース本体と、
前記ケース本体の外側面に設けられ、前記制御基板が内部に収容された状態で前記第１ケース体と前記第２ケース体とを開放し難い状態とする第１封止手段および第２封止手段と、を備え、
前記第１封止手段は、
前記第１ケース体の所定箇所に設けられた第１被封止部と、
前記第２ケース体の所定箇所に設けられた前記第１被封止部よりも破壊されやすいように形成される被破壊部を有する第２被封止部と、
前記第１被封止部と前記第２被封止部とが前記部品搭載面に沿う特定方向から重ねられた状態の第１組付体に挿入されることによって前記第１ケース体と前記第２ケース体とを解放し難い状態とする第１封止部材とを有し、
前記第２封止手段は、
前記第２ケース体の所定箇所に設けられた第３被封止部と、
前記第１ケース体の所定箇所に設けられた前記第３被封止部よりも破壊されやすいように形成される被破壊部を有する第４被封止部と、
前記第３被封止部と前記第４被封止部とが前記特定方向から重ねられた状態の第２組付体に挿入されることによって前記第１ケース体と前記第２ケース体とを解放し難い状態とする第２封止部材とを有し、
前記第２ケース体側から前記基板収容ケースを見たとき、前記第１組付体を構成する前記第１被封止部は、前記第２被封止部の奥側に位置し、前記第２組付体を構成する前記第３被封止部は、前記第４被封止部の奥側に位置し、前記被破壊部の各々が矩形状の前記基板収容ケースの前記特定方向に延びた一辺側に設けられている
ことを特徴とする。